(57)【要約】【課題】自身の部材の移動を監視するための監視用ＩＣタグを備えた所定の動作を行う装置を監視し、監視用ＩＣタグを監視するための情報である登録情報を変更できる監視システム、監視用ＩＣタグを備えた装置、及び、監視結果である監視情報を報知したり閲覧させたりする管理端末装置を提供する。【解決手段】管理端末装置において、認証用ＩＣタグを用いて認証処理を行い、認証状態となったら（Ｓ６１、Ｓ６２：ＹＥＳ、Ｓ６３：ＹＥＳ）、操作者に登録情報の設定を行うパチンコ機を選択させて（Ｓ６４，６５）、被選択パチンコ機から登録情報を取得する（Ｓ６６〜６８）。取得した登録情報は画面に表示され（Ｓ６９）、操作者のキー操作により変更処理（Ｓ７１〜７７）、追加処理（Ｓ７８〜８４）、削除処理（Ｓ８５〜８９）を行うことができる。【選択図】  図２１
2004185596.tif 000002
【特許請求の範囲】
【請求項１】
自身に設けられている部材の移動を監視するための監視用ＩＣタグを備えた所定の動作を行う装置と、前記監視用ＩＣタグを監視するための情報である登録情報の設定や前記監視用ＩＣタグによる監視結果である監視情報の収集を行う管理端末装置とをネットワークを介して接続した監視システムであって、
前記監視用ＩＣタグは、
他のＩＣタグと区別するための識別情報を記憶する識別情報記憶手段と、
前記監視用ＩＣタグと通信を行い前記監視情報を記憶するＩＣタグ監視装置から送信される監視用呼出波に応答して監視用反射波を放出するＲＦ回路と
を備え、
前記管理端末装置は、
前記登録情報を記憶する第１登録情報記憶手段と、
前記登録情報を設定し、前記第１登録情報記憶手段に記憶する登録情報設定手段と、
前記第１登録情報記憶手段に記憶された前記登録情報を前記ＩＣタグ監視装置へ送信する第１登録情報送信手段と
を備え、
前記装置は、
前記ＩＣタグ監視装置を備え、
前記ＩＣタグ監視装置は、
前記管理端末装置から送信された前記登録情報を受信する第１登録情報受信手段と、
当該第１登録情報受信手段が受信した前記登録情報を記憶する第２登録情報記憶手段と
を備えたことを特徴とする監視システム。
【請求項２】
前記管理端末装置は、
前記ＩＣタグ監視装置に前記登録情報の送信を依頼する依頼情報を送信する依頼情報送信手段と、
前記ＩＣタグ監視装置から送信された前記登録情報を受信する第２登録情報受信手段と
を備え、
前記ＩＣタグ監視装置は、
前記依頼情報送信手段から前記依頼情報を受信した場合に、前記第２登録情報記憶手段に記憶された前記登録情報を前記第２登録情報受信手段に送信する第２登録情報送信手段
を備えたことを特徴とする請求項１に記載の監視システム。
【請求項３】
前記監視システムは、
他のＩＣタグと区別するための識別情報を記憶した認証用ＩＣタグを備えた認証部材を備え、
前記管理端末装置は、
前記認証用ＩＣタグを認証するための情報である認証用登録情報を記憶する認証用登録情報記憶手段と、
前記認証用ＩＣタグを呼び出す呼出波を送信する呼出波送信手段と、
前記認証用ＩＣタグから返送される反射波を受信する反射波受信手段と、
当該反射波受信手段が、前記認証用登録情報記憶手段に記憶されている前記認証用登録情報の中の識別情報と同一の識別情報を含む前記反射波を受信した場合に、前記管理端末装置を認証状態に移行させる認証判定手段と、
当該認証判定手段により前記認証状態に移行された場合に、前記登録情報設定手段において前記登録情報の設定を行う登録情報設定制御手段と
を備えたことを特徴とする請求項１又は２に記載の監視システム。
【請求項４】
前記登録情報は、前記監視用ＩＣタグが備えられている位置を特定する位置特定符号に対応されて記憶されており、前記ＩＣタグ監視装置が前記監視用ＩＣタグを監視する監視タイミング、及び、前記監視用ＩＣタグに記憶されている前記識別情報の少なくとも１つを含むことを特徴とする請求項１乃至３のいずれかに記載の監視システム。
【請求項５】
前記認証用登録情報は、前記呼出波送信手段の前記認証用ＩＣタグへの呼出波の送信タイミング及び、前記認証用ＩＣタグに記憶されている識別情報のうちの少なくとも１つを含むことを特徴とする請求項３に記載の監視システム。
【請求項６】
前記管理端末装置は、
前記認証用登録情報を設定し、前記認証用登録情報記憶手段に記憶させる認証用登録情報設定手段を備えたことを特徴とする請求項３乃至５のいずれかに記載の監視システム。
【請求項７】
前記管理端末装置は、
操作者を特定する特定情報を記憶する特定情報記憶手段と、
前記特定情報を入力する特定情報入力手段と、
当該特定情報入力手段により入力された特定情報が前記特定情報記憶手段に記憶されている前記特定情報と一致するか否かの判定を行う特定情報判定手段と、
当該特定情報判定手段により一致していると判定された場合にのみ、前記認証用登録情報設定手段において前記認証用登録情報の設定を行う認証用登録情報設定制御手段と
を備えたことを特徴とする請求項６に記載の監視システム。
【請求項８】
前記装置は、遊技機であることを特徴とする請求項１乃至７のいずれかに記載の監視システム。
【請求項９】
前記遊技機は、
当該遊技機を設置する遊技機設置台に前記遊技機を固定するための機枠と、
前記遊技機の本体を前記機枠に設置するための本体枠と、
遊技球が流下する遊技領域を保護するための前面枠と、
鍵と錠とで構成され、前記機枠と前記本体枠、及び前記本体枠と前記前面枠とを施錠する施錠装置と
を備え、
前記認証部材は前記鍵に備えられていることを特徴とする請求項８に記載の監視システム。
【請求項１０】
前記管理端末装置は、
当該管理端末装置の内部を開放するための扉と、
鍵と錠とで構成され、前記扉を施錠する施錠装置と
を備え、
前記認証部材は前記鍵に備えられていることを特徴とする請求項１乃至９のいずれかに記載の監視システム。
【請求項１１】
監視用ＩＣタグを監視するための情報である登録情報の設定や前記監視用ＩＣタグによる監視結果である監視情報の収集を行う管理端末装置とネットワークを介して接続し、自身に設けられている部材の移動を監視するための監視用ＩＣタグを備えた所定の動作を行う装置であって、
前記監視用ＩＣタグは、
他のＩＣタグと区別するための識別情報を記憶する識別情報記憶手段と、
前記監視用ＩＣタグと通信を行い前記監視情報を記憶するＩＣタグ監視装置から送信される監視用呼出波に応答して監視用反射波を放出するＲＦ回路と
を備え、
前記装置は、
前記ＩＣタグ監視装置を備え、
前記ＩＣタグ監視装置は、
前記管理端末装置から送信された前記登録情報を受信する第１登録情報受信手段と、
当該第１登録情報受信手段が受信した前記登録情報を記憶する第２登録情報記憶手段と
を備えたことを特徴とする装置。
【請求項１２】
前記ＩＣタグ監視装置は、
前記管理端末装置から送信された、前記登録情報の送信を依頼する依頼情報を受信する依頼情報受信手段と、
当該依頼情報受信手段が前記依頼情報を受信した場合に、前記第２登録情報記憶手段に記憶された前記登録情報を前記管理端末装置に送信する第２登録情報送信手段と
を備えたことを特徴とする請求項１１に記載の装置。
【請求項１３】
前記登録情報は、前記監視用ＩＣタグが備えられている位置を特定する位置特定符号に対応されて記憶されており、前記ＩＣタグ監視装置が前記監視用ＩＣタグを監視する監視タイミング、及び、前記識別情報記憶手段に記憶されている前記識別情報の少なくとも１つを含むことを特徴とする請求項１１又は１２に記載の装置。
【請求項１４】
前記装置は、遊技機であることを特徴とする請求項１１乃至１３のいずれかに記載の装置。
【請求項１５】
前記遊技機は、
当該遊技機を設置する遊技機設置台に前記遊技機を固定するための機枠と、
前記遊技機の本体を前記機枠に設置するための本体枠と、
遊技球が流下する遊技領域を保護するための前面枠と、
鍵と錠とで構成され、前記機枠と前記本体枠、及び前記本体枠と前記前面枠とを施錠する施錠装置と
を備え、
前記認証部材は前記鍵に備えられていることを特徴とする請求項１４に記載の装置。
【請求項１６】
自身に設けられている部材の移動を監視するための監視用ＩＣタグを備えた所定の動作を行う装置にネットワークを介して接続し、前記監視用ＩＣタグを監視するための情報である登録情報の設定や前記監視用ＩＣタグによる監視結果である監視情報の収集を行う管理端末装置であって、
前記管理端末装置は、
前記登録情報を記憶する第１登録情報記憶手段と、
前記登録情報を設定し、前記第１登録情報記憶手段に記憶する登録情報設定手段と、
前記装置に備えられ、前記監視用ＩＣタグを監視するＩＣタグ監視装置へ前記第１登録情報記憶手段に記憶された前記登録情報を送信する第１登録情報送信手段と、
前記第１登録情報記憶手段に記憶されている前記登録情報を表示する表示画面と
を備えたことを特徴とする管理端末装置。
【請求項１７】
前記管理端末装置は、
前記ＩＣタグ監視装置に前記登録情報の送信を依頼する依頼情報を送信する依頼情報送信手段と、
前記ＩＣタグ監視装置から送信された前記登録情報を受信する第２登録情報受信手段と
を備えたことを特徴とする請求項１６に記載の管理端末装置。
【請求項１８】
他のＩＣタグと区別するための識別情報を記憶した認証用ＩＣタグを備えた認証部材の認証が可能な管理端末装置であって、
前記管理端末装置は、
前記認証用ＩＣタグを認証するための情報である認証用登録情報を記憶する認証用登録情報記憶手段と、
前記認証用ＩＣタグを呼び出す呼出波を送信する呼出波送信手段と、
前記認証用ＩＣタグから返送される反射波を受信する反射波受信手段と、
当該反射波受信手段が、前記認証用登録情報記憶手段に記憶されている前記認証用登録情報の中の識別情報と同一の識別情報を含む前記反射波を受信した場合に、前記管理端末装置を認証状態に移行させる認証判定手段と、
当該認証判定手段により認証状態に移行された場合に、前記登録情報設定手段において前記登録情報の設定を行う登録情報設定制御手段と
を備えたことを特徴とする請求項１６又は１７に記載の管理端末装置。
【請求項１９】
前記登録情報は、前記監視用ＩＣタグが備えられている位置を特定する位置特定符号に対応されて記憶されており、前記ＩＣタグ監視装置が前記監視用ＩＣタグを監視する監視タイミング、及び、前記監視用ＩＣタグに記憶されている前記識別情報の少なくとも１つを含むことを特徴とする請求項１６乃至１８のいずれかに記載の管理端末装置。
【請求項２０】
前記認証用登録情報は、前記呼出波送信手段の前記認証用ＩＣタグへの呼出波の送信タイミング及び、前記認証用ＩＣタグに記憶されている識別情報のうちの少なくとも１つを含むことを特徴とする請求項１８に記載の管理端末装置。
【請求項２１】
前記管理端末装置は、
前記認証用登録情報の設定を行い、当該認証用登録情報を前記認証用登録情報記憶手段に記憶させる認証用登録情報設定手段を備えたことを特徴とする請求項１６乃至２０のいずれかに記載の管理端末装置。
【請求項２２】
前記管理端末装置は、
操作者を特定する特定情報を記憶する特定情報記憶手段と、
前記特定情報を入力する特定情報入力手段と、
当該特定情報入力手段により入力された特定情報が前記特定情報記憶手段に記憶されている前記特定情報と一致するか否かの判定を行う特定情報判定手段と、
当該特定情報判定手段により一致していると判定された場合にのみ、前記認証用登録情報設定手段において前記認証用登録情報の設定を行う認証用登録情報設定制御手段と
を備えたことを特徴とする請求項２１に記載の管理端末装置。
【請求項２３】
前記装置は、遊技機であることを特徴とする請求項１６乃至２２のいずれかに記載の管理端末装置。
【請求項２４】
前記遊技機は、
当該遊技機を設置する遊技機設置台に前記遊技機を固定するための機枠と、
前記遊技機の本体を前記機枠に設置するための本体枠と、
遊技球が流下する遊技領域を保護するための前面枠と、
鍵と錠とで構成され、前記機枠と前記本体枠、及び前記本体枠と前記前面枠とを施錠する施錠装置と
を備え、
前記認証部材は前記鍵に備えられていることを特徴とする請求項２３に記載の管理端末装置。
【請求項２５】
前記管理端末装置は、
当該管理端末装置の内部を開放するための扉と、
鍵と錠とで構成され、前記扉を施錠する施錠装置と
を備え、
前記認証部材は前記鍵に備えられていることを特徴とする請求項１６乃至２４のいずれかに記載の管理端末装置。
【発明の詳細な説明】
【０００１】
【発明の属する技術分野】
本発明は、監視システム、監視用ＩＣタグを備えた装置、及び管理端末装置に関し、詳細には、自身の部材の移動を監視するための監視用ＩＣタグを備えた所定の動作を行う装置を監視する監視システム、監視用ＩＣタグを備えた装置、及び、監視結果を報知したり閲覧させたりする管理端末装置に関する。
【０００２】
【従来の技術】
従来、所定の動作を行う装置の一種である遊技機のうちパチンコ機においては、遊技者が不当に遊技球を獲得する不正行為が後を絶たず、種々の防止策が施されている。特に、遊技機の制御を司る制御基板の不正改造、例えば、不正ＲＯＭへの交換を防止するために、制御基板を収納する基板ボックスには、様々な工夫が施されている。例えば、基板ボックスに封印シールを設けたり、また、制御基板に触われないように、基板ボックスを閉じるかしめ方向にのみ回転する封印ビスによって、基板ボックスの開放を困難にしているものがある（例えば、特許文献１参照）。さらに、可動接点を用いて収納ボックスの開閉を検出して、その検出信号を記憶して、発光ダイオードにより報知するようにしているものもある（例えば、特許文献２参照）。また、基板ボックスの表面にＩＣタグを貼着し、ＩＤ読取装置からの送信要求に応じてＩＣタグからその内部に記憶された識別情報をＩＤ読取装置に送信させ、識別情報を確認することにより、基板ボックスごと制御基板がすり替えられたか否かを判断するようになっているものもある（例えば、特許文献３参照）。
【０００３】
【特許文献１】
特開平１０−２１６１１４１号公報
【特許文献２】
特開平９−３４３６５号公報
【特許文献３】
特開２０００−２８８２１８号公報
【０００４】
しかし、封印シールを用いるものでは、基板ボックスを開放して不正ＲＯＭへの交換が終了した後に、精巧な偽造封印シールを張られてしまうと基板ボックスが開閉されたか否かを判断することは困難だった。また、封印ビスを用いるものでは、特殊な工具で強制的に封印ビスを開放方向へ回して基板ボックスを開放して不正ＲＯＭへの交換が行われてしまうことがあった。さらに、可動接点を用いて基板ボックスの開閉を検出するものでは、基板ボックスは、通常透明の樹脂により形成されているために、収納ボックスの開閉を検出する可動接点が用いられているのが目視により分かり、基板収納ボックスの隙間から、ピアノ線などを入れて可動接点が動かないようにされてしまい、基板ボックスの開閉を検出することができなくなると言う問題点があった。さらに、上記の従来技術では、基板ボックスが開閉されたか否かは、制御基板を目視しないと判断できないという問題点があり、このような不正行為は夜間に行われることが多いが、遊技場に何百台とある遊技機を毎朝点検確認するのは煩雑であった。
【０００５】
そこで、本出願人は特願２００２−２３２１９３号で遊技機の状態を監視する監視システム、遊技機及び装置管理システムを提案した。この出願では、遊技機の一種であるパチンコ機の基板ボックス及び大入賞口の開閉扉に監視用ＩＣタグを各々取り付け、これらの監視用ＩＣタグと通信するリーダライタユニット（ＩＣタグ監視装置）が、適時監視用ＩＣタグに呼出波を送信し、ＩＣタグから予めＩＣタグ監視装置に記憶されている監視用ＩＣタグのＩＤコードが含まれている反射波が返送されてくるか否かにより、部材の開閉を監視している。尚、大入賞口は通常は閉鎖された状態であり、この大入賞口が開放され、遊技機が入球すると遊技者は多数の遊技球を獲得できるため、薄いプラスチック板などで不正に開閉扉を開いて、遊技球を入賞させるという不正が発生している。そのため、大入賞口の開閉扉の開放の監視が必要となる。
【０００６】
【発明が解決しようとする課題】
しかしながら、特願２００２−２３２１９３号における発明において、被監視部材の交換が行われた場合には、その部材に取り付けられている監視用ＩＣタグも一緒に交換されるので、予めＩＣタグ監視装置に記憶されているＩＤコードを変更する必要があるという問題がある。また、ＩＣタグ監視装置の運用後に、ＩＣタグの監視間隔時間の変更を行いたいという問題もある。
【０００７】
さらに、基板ボックスを開放して不正ＲＯＭへの交換が行われ、新しい監視用ＩＣタグが貼り付けられた基板ボックスが取り付けられた場合に、ＩＣタグ監視装置に記憶されているＩＤコードを変更されてしまうと、ＩＤコードエラーが発生せずに、不正を検知できない。したがって、基板ボックス自体を目視するまではＲＯＭの交換に気がつかないという問題がある。また、監視用ＩＣタグの監視間隔を、不正を行うのに十分な時間、例えば２時間に変更されてしまうと、その間に不正ＲＯＭへの交換が行われたり、大入賞口の開閉扉を開放されたりしてしまう。したがって、たとえ監視は行っていても、監視と監視の間に不正が行われ、不正が検知されないという問題がある。
【０００８】
そこで、登録情報の設定を行うことができる者を限定するために、認証用ＩＣタグを備えた認証部材を使用することを考えるが、その場合においても、偽の認証用ＩＣタグを備えた認証部材を作成されてしまうという問題がある。
【０００９】
本発明は、上記問題を解決するためになされたものであり、自身の部材の移動を監視するための監視用ＩＣタグを備えた所定の動作を行う装置を監視し、監視用ＩＣタグを監視するための情報である登録情報の変更を行うことができ、さらに正規の認証部材を持った係員以外には変更を行うことができない監視システム、監視用ＩＣタグを備えた装置、及び、監視結果である監視情報を報知したり閲覧させたりする管理端末装置を提供することを目的としている。
【００１０】
【課題を解決するための手段】
上記課題を解決するため、請求項１に係る発明の監視システムでは、自身に設けられている部材の移動を監視するための監視用ＩＣタグを備えた所定の動作を行う装置と、前記監視用ＩＣタグを監視するための情報である登録情報の設定や前記監視用ＩＣタグによる監視結果である監視情報の収集を行う管理端末装置とをネットワークを介して接続した監視システムであって、前記監視用ＩＣタグは、他のＩＣタグと区別するための識別情報を記憶する識別情報記憶手段と、前記監視用ＩＣタグと通信を行い前記監視情報を記憶するＩＣタグ監視装置から送信される監視用呼出波に応答して監視用反射波を放出するＲＦ回路とを備え、前記管理端末装置は、前記登録情報を記憶する第１登録情報記憶手段と、前記登録情報を設定し、前記第１登録情報記憶手段に記憶する登録情報設定手段と、前記第１登録情報記憶手段に記憶された前記登録情報を前記ＩＣタグ監視装置へ送信する第１登録情報送信手段とを備え、前記装置は、前記ＩＣタグ監視装置を備え、前記ＩＣタグ監視装置は、前記管理端末装置から送信された前記登録情報を受信する第１登録情報受信手段と、当該第１登録情報受信手段が受信した前記登録情報を記憶する第２登録情報記憶手段とを備えている。
【００１１】
この構成の監視システムでは、監視用ＩＣタグの識別情報記憶手段は、他のＩＣタグと区別するための識別情報を記憶する。また、管理端末装置の第１登録情報記憶手段は、登録情報を記憶し、登録情報設定手段は、登録情報を設定し、第１登録情報記憶手段に記憶し、第１登録情報送信手段は、第１登録情報記憶手段に記憶された登録情報をＩＣタグ監視装置へ送信する。また、装置のＩＣタグ監視装置は、監視用ＩＣタグと通信を行う。また、ＩＣタグ監視装置の第１登録情報受信手段は、管理端末装置から送信された登録情報を受信し、第２登録情報記憶手段は、第１登録情報受信手段が受信した登録情報を記憶する。
【００１２】
また、請求項２に係る発明の監視システムでは、請求項１に記載の発明の構成に加えて、前記管理端末装置は、前記ＩＣタグ監視装置に前記登録情報の送信を依頼する依頼情報を送信する依頼情報送信手段と、前記ＩＣタグ監視装置から送信された前記登録情報を受信する第２登録情報受信手段とを備え、前記ＩＣタグ監視装置は、前記依頼情報送信手段から前記依頼情報を受信した場合に、前記第２登録情報記憶手段に記憶された前記登録情報を前記第２登録情報受信手段に送信する第２登録情報送信手段を備えたことを特徴とする構成となっている。
【００１３】
この構成の監視システムでは、請求項１に記載の発明の作用に加えて、管理端末装置の依頼情報送信手段は、ＩＣタグ監視装置に登録情報の送信を依頼する依頼情報を送信し、第２登録情報受信手段は、ＩＣタグ監視装置から送信された登録情報を受信する。また、ＩＣタグ監視装置の第２登録情報送信手段は、依頼情報送信手段から依頼情報を受信した場合に、第２登録情報記憶手段に記憶された登録情報を第２登録情報受信手段に送信する。
【００１４】
また、請求項３に係る発明の監視システムでは、請求項１又は２に記載の発明の構成に加えて、前記監視システムは、他のＩＣタグと区別するための識別情報を記憶した認証用ＩＣタグを備えた認証部材を備え、前記管理端末装置は、前記認証用ＩＣタグを認証するための情報である認証用登録情報を記憶する認証用登録情報記憶手段と、前記認証用ＩＣタグを呼び出す呼出波を送信する呼出波送信手段と、前記認証用ＩＣタグから返送される反射波を受信する反射波受信手段と、当該反射波受信手段が、前記認証用登録情報記憶手段に記憶されている前記認証用登録情報の中の識別情報と同一の識別情報を含む前記反射波を受信した場合に、前記管理端末装置を認証状態に移行させる認証判定手段と、当該認証判定手段により前記認証状態に移行された場合に、前記登録情報設定手段において前記登録情報の設定を行う登録情報設定制御手段とを備えたことを特徴とする構成となっている。
【００１５】
この構成の監視システムでは、請求項１又は２に記載の発明の作用に加えて、監視システムの認証部材が備えた認証用ＩＣタグは、他のＩＣタグと区別するための識別情報を記憶する。また、管理端末装置の認証用登録情報記憶手段は、認証用ＩＣタグを認証するための情報である認証用登録情報を記憶し、呼出波送信手段は、認証用ＩＣタグを呼び出す呼出波を送信し、反射波受信手段は、認証用ＩＣタグから返送される反射波を受信し、認証判定手段は、反射波受信手段が、認証用登録情報記憶手段に記憶されている認証用登録情報の中の識別情報と同一の識別情報を含む反射波を受信した場合に、管理端末装置を認証状態に移行させ、登録情報設定制御手段は、認証判定手段により認証状態に移行された場合に、登録情報設定手段において登録情報の設定を行う。
【００１６】
また、請求項４に係る発明の監視システムでは、請求項１乃至３のいずれかに記載の発明の構成に加えて、前記登録情報は、前記監視用ＩＣタグが備えられている位置を特定する位置特定符号に対応されて記憶されており、前記ＩＣタグ監視装置が前記監視用ＩＣタグを監視する監視タイミング、及び、前記監視用ＩＣタグに記憶されている前記識別情報の少なくとも１つを含むことを特徴とする構成となっている。
【００１７】
この構成の監視システムでは、請求項１乃至３のいずれかに記載の発明の作用に加えて、登録情報は、監視用ＩＣタグが備えられている位置を特定する位置特定符号に対応されて記憶されており、ＩＣタグ監視装置が監視用ＩＣタグを監視する監視タイミング、及び、監視用ＩＣタグに記憶されている識別情報の少なくとも１つを含む。
【００１８】
また、請求項５に係る発明の監視システムでは、請求項３に記載の発明の構成に加えて、前記認証用登録情報は、前記呼出波送信手段の前記認証用ＩＣタグへの呼出波の送信タイミング及び、前記認証用ＩＣタグに記憶されている識別情報のうちの少なくとも１つを含むことを特徴とする構成となっている。
【００１９】
この構成の監視システムでは、請求項３に記載の発明の作用に加えて、認証用登録情報は、呼出波送信手段の認証用ＩＣタグへの呼出波の送信タイミング及び、認証用ＩＣタグに記憶されている識別情報のうちの少なくとも１つを含む。
【００２０】
また、請求項６に係る発明の監視システムでは、請求項３乃至５のいずれかに記載の発明の構成に加えて、前記管理端末装置は、前記認証用登録情報を設定し、前記認証用登録情報記憶手段に記憶させる認証用登録情報設定手段を備えたことを特徴とする構成となっている。
【００２１】
この構成の監視システムでは、請求項３乃至５のいずれかに記載の発明の作用に加えて、管理端末装置の認証用登録情報設定手段は、認証用登録情報を設定し、認証用登録情報記憶手段に記憶させる。
【００２２】
また、請求項７に係る発明の監視システムでは、請求項６に記載の発明の構成に加えて、前記管理端末装置は、操作者を特定する特定情報を記憶する特定情報記憶手段と、前記特定情報を入力する特定情報入力手段と、当該特定情報入力手段により入力された特定情報が前記特定情報記憶手段に記憶されている前記特定情報と一致するか否かの判定を行う特定情報判定手段と、当該特定情報判定手段により一致していると判定された場合にのみ、前記認証用登録情報設定手段において前記認証用登録情報の設定を行う認証用登録情報設定制御手段とを備えたことを特徴とする構成となっている。
【００２３】
この構成の監視システムでは、請求項６に記載の発明の作用に加えて、管理端末装置の特定情報記憶手段は、操作者を特定する特定情報を記憶し、特定情報入力手段は、特定情報を入力し、特定情報判定手段は、特定情報入力手段により入力された特定情報が特定情報記憶手段に記憶されている特定情報と一致するか否かの判定を行い、認証用登録情報設定制御手段は、特定情報判定手段により一致していると判定された場合にのみ、認証用登録情報設定手段において認証用登録情報の設定を行う。
【００２４】
また、請求項８に係る発明の監視システムでは、請求項１乃至７のいずれかに記載の発明の構成に加えて、前記装置は遊技機であることを特徴とする構成となっている。
【００２５】
この構成の監視システムでは、請求項１乃至７のいずれかに記載の発明の作用に加えて、装置は遊技機が用いられる。
【００２６】
また、請求項９に係る発明の監視システムでは、請求項８に記載の発明の構成に加えて、前記遊技機は、当該遊技機を設置する遊技機設置台に前記遊技機を固定するための機枠と、前記遊技機の本体を前記機枠に設置するための本体枠と、遊技球が流下する遊技領域を保護するための前面枠と、鍵と錠とで構成され、前記機枠と前記本体枠、及び前記本体枠と前記前面枠とを施錠する施錠装置とを備え、前記認証部材は前記鍵に備えられていることを特徴とする構成となっている。
【００２７】
この構成の監視システムでは、請求項８に記載の発明の作用に加えて、遊技機の機枠は、遊技機を設置する遊技機設置台に遊技機を固定し、本体枠は、遊技機の本体を機枠に設置し、前面枠は、遊技球が流下する遊技領域を保護する。また、鍵と錠とで構成された施錠装置は、機枠と本体枠、及び本体枠と前面枠とを施錠し、鍵は認証部材を備えている。
【００２８】
また、請求項１０に係る発明の監視システムでは、請求項１乃至９のいずれかに記載の発明の構成に加えて、前記管理端末装置は、当該管理端末装置の内部を開放するための扉と、鍵と錠とで構成され、前記扉を施錠する施錠装置とを備え、前記認証部材は前記鍵に備えられていることを特徴とする構成となっている。
【００２９】
この構成の監視システムでは、請求項１乃至９のいずれかに記載の発明の作用に加えて、管理端末装置の扉は管理端末装置の内部を開放し、鍵と錠とで構成された施錠装置は扉を施錠する。
【００３０】
また、請求項１１に係る発明の装置では、監視用ＩＣタグを監視するための情報である登録情報の設定や前記監視用ＩＣタグによる監視結果である監視情報の収集を行う管理端末装置とネットワークを介して接続し、自身に設けられている部材の移動を監視するための監視用ＩＣタグを備えた所定の動作を行う装置であって、前記監視用ＩＣタグは、他のＩＣタグと区別するための識別情報を記憶する識別情報記憶手段と、前記監視用ＩＣタグと通信を行い前記監視情報を記憶するＩＣタグ監視装置から送信される監視用呼出波に応答して監視用反射波を放出するＲＦ回路とを備え、前記装置は、前記ＩＣタグ監視装置を備え、前記ＩＣタグ監視装置は、前記管理端末装置から送信された前記登録情報を受信する第１登録情報受信手段と、当該第１登録情報受信手段が受信した前記登録情報を記憶する第２登録情報記憶手段とを備えている。
【００３１】
この構成の装置では、監視用ＩＣタグの識別情報記憶手段は、他のＩＣタグと区別するための識別情報を記憶する。また、装置のＩＣタグ監視装置は、監視用ＩＣタグと通信を行う。また、ＩＣタグ監視装置の第１登録情報受信手段は、管理端末装置から送信された登録情報を受信し、第２登録情報記憶手段は、第１登録情報受信手段が受信した登録情報を記憶する。
【００３２】
また、請求項１２に係る発明の装置では、請求項１１に記載の発明の構成に加えて、前記ＩＣタグ監視装置は、前記管理端末装置から送信された、前記登録情報の送信を依頼する依頼情報を受信する依頼情報受信手段と、当該依頼情報受信手段が前記依頼情報を受信した場合に、前記第２登録情報記憶手段に記憶された前記登録情報を前記管理端末装置に送信する第２登録情報送信手段とを備えたことを特徴とする構成となっている。
【００３３】
この構成の装置では、請求項１１に記載の発明の作用に加えて、ＩＣタグ監視装置の依頼情報受信手段は、管理端末装置から送信された、登録情報の送信を依頼する依頼情報を受信し、第２登録情報送信手段は、依頼情報受信手段が依頼情報を受信した場合に、第２登録情報記憶手段に記憶された登録情報を管理端末装置に送信する。
【００３４】
また、請求項１３に係る発明の装置では、請求項１１又は１２に記載の発明の構成に加えて、前記登録情報は、前記監視用ＩＣタグが備えられている位置を特定する位置特定符号に対応されて記憶されており、前記ＩＣタグ監視装置が前記監視用ＩＣタグを監視する監視タイミング、及び、前記識別情報記憶手段に記憶されている前記識別情報の少なくとも１つを含むことを特徴とする構成となっている。
【００３５】
この構成の装置では、請求項１１又は１２に記載の発明の作用に加えて、登録情報は、監視用ＩＣタグが備えられている位置を特定する位置特定符号に対応されて記憶されており、ＩＣタグ監視装置が監視用ＩＣタグを監視する監視タイミング、及び、識別情報記憶手段に記憶されている識別情報の少なくとも１つを含む。
【００３６】
また、請求項１４に係る発明の装置では、請求項１１乃至１３のいずれかに記載の発明の構成に加えて、前記装置は遊技機であることを特徴とする構成となっている。
【００３７】
この構成の装置では、請求項１１乃至１３のいずれかに記載の発明の作用に加えて、装置は遊技機が用いられる。
【００３８】
また、請求項１５に係る発明の装置では、請求項１４に記載の発明の構成に加えて、前記遊技機は、当該遊技機を設置する遊技機設置台に前記遊技機を固定するための機枠と、前記遊技機の本体を前記機枠に設置するための本体枠と、遊技球が流下する遊技領域を保護するための前面枠と、鍵と錠とで構成され、前記機枠と前記本体枠、及び前記本体枠と前記前面枠とを施錠する施錠装置とを備え、前記認証部材は前記鍵に備えられていることを特徴とする構成となっている。
【００３９】
この構成の装置では、請求項１４に記載の発明の作用に加えて、遊技機の機枠は、遊技機を設置する遊技機設置台に遊技機を固定し、本体枠は、遊技機の本体を機枠に設置し、前面枠は、遊技球が流下する遊技領域を保護する。また、鍵と錠とで構成された施錠装置は、機枠と本体枠、及び本体枠と前面枠とを施錠し、鍵は認証部材を備えている。
【００４０】
また、請求項１６に係る発明の管理端末装置では、自身に設けられている部材の移動を監視するための監視用ＩＣタグを備えた所定の動作を行う装置にネットワークを介して接続し、前記監視用ＩＣタグを監視するための情報である登録情報の設定や前記監視用ＩＣタグによる監視結果である監視情報の収集を行う管理端末装置であって、前記管理端末装置は、前記登録情報を記憶する第１登録情報記憶手段と、前記登録情報を設定し、前記第１登録情報記憶手段に記憶する登録情報設定手段と、前記装置に備えられ、前記監視用ＩＣタグを監視するＩＣタグ監視装置へ前記第１登録情報記憶手段に記憶された前記登録情報を送信する第１登録情報送信手段と、前記第１登録情報記憶手段に記憶されている前記登録情報を表示する表示画面とを備えている。
【００４１】
この構成の管理端末装置では、管理端末装置の第１登録情報記憶手段は、登録情報を記憶し、登録情報設定手段は、登録情報を設定し、第１登録情報記憶手段に記憶し、第１登録情報送信手段は、装置に備えられ、監視用ＩＣタグを監視するＩＣタグ監視装置へ第１登録情報記憶手段に記憶された登録情報を送信する。
【００４２】
また、請求項１７に係る発明の管理端末装置では、請求項１６に記載の発明の構成に加えて、前記管理端末装置は、前記ＩＣタグ監視装置に前記登録情報の送信を依頼する依頼情報を送信する依頼情報送信手段と、前記ＩＣタグ監視装置から送信された前記登録情報を受信する第２登録情報受信手段とを備えたことを特徴とする構成となっている。
【００４３】
この構成の管理端末装置では、請求項１６に記載の発明の作用に加えて、管理端末装置の依頼情報送信手段は、ＩＣタグ監視装置に登録情報の送信を依頼する依頼情報を送信し、第２登録情報受信手段は、ＩＣタグ監視装置から送信された登録情報を受信する。
【００４４】
また、請求項１８に係る発明の管理端末装置では、請求項１６又は１７に記載の発明の構成に加えて、他のＩＣタグと区別するための識別情報を記憶した認証用ＩＣタグを備えた認証部材の認証が可能な管理端末装置であって、前記管理端末装置は、前記認証用ＩＣタグを認証するための情報である認証用登録情報を記憶する認証用登録情報記憶手段と、前記認証用ＩＣタグを呼び出す呼出波を送信する呼出波送信手段と、前記認証用ＩＣタグから返送される反射波を受信する反射波受信手段と、当該反射波受信手段が、前記認証用登録情報記憶手段に記憶されている前記認証用登録情報の中の識別情報と同一の識別情報を含む前記反射波を受信した場合に、前記管理端末装置を認証状態に移行させる認証判定手段と、当該認証判定手段により認証状態に移行された場合に、前記登録情報設定手段において前記登録情報の設定を行う登録情報設定制御手段とを備えたことを特徴とする構成となっている。
【００４５】
この構成の管理端末装置では、請求項１６又は１７に記載の発明の作用に加えて、管理端末装置の認証用登録情報記憶手段は、認証用ＩＣタグを認証するための情報である認証用登録情報を記憶し、呼出波送信手段は、認証用ＩＣタグを呼び出す呼出波を送信し、反射波受信手段は、認証用ＩＣタグから返送される反射波を受信し、認証判定手段は、反射波受信手段が、認証用登録情報記憶手段に記憶されている認証用登録情報の中の識別情報と同一の識別情報を含む反射波を受信した場合に、管理端末装置を認証状態に移行させ、登録情報設定制御手段は、認証判定手段により認証状態に移行された場合に、登録情報設定手段において登録情報の設定を行う。
【００４６】
また、請求項１９に係る発明の管理端末装置では、請求項１６乃至１８のいずれかに記載の発明の構成に加えて、前記登録情報は、前記監視用ＩＣタグが備えられている位置を特定する位置特定符号に対応されて記憶されており、前記ＩＣタグ監視装置が前記監視用ＩＣタグを監視する監視タイミング、及び、前記監視用ＩＣタグに記憶されている前記識別情報の少なくとも１つを含むことを特徴とする構成となっている。
【００４７】
この構成の管理端末装置では、請求項１６乃至１８のいずれかに記載の発明の作用に加えて、登録情報は、監視用ＩＣタグが備えられている位置を特定する位置特定符号に対応されて記憶されており、ＩＣタグ監視装置が監視用ＩＣタグを監視する監視タイミング、及び、監視用ＩＣタグに記憶されている識別情報の少なくとも１つを含む。
【００４８】
また、請求項２０に係る発明の管理端末装置では、請求項１８に記載の発明の構成に加えて、前記認証用登録情報は、前記呼出波送信手段の前記認証用ＩＣタグへの呼出波の送信タイミング及び、前記認証用ＩＣタグに記憶されている識別情報のうちの少なくとも１つを含むことを特徴とする構成となっている。
【００４９】
この構成の管理端末装置では、請求項１８に記載の発明の作用に加えて、認証用登録情報は、呼出波送信手段の認証用ＩＣタグへの呼出波の送信タイミング及び、認証用ＩＣタグに記憶されている識別情報のうちの少なくとも１つを含む。
【００５０】
また、請求項２１に係る発明の管理端末装置では、請求項１６乃至２０のいずれかに記載の発明の構成に加えて、前記管理端末装置は、前記認証用登録情報の設定を行い、当該認証用登録情報を前記認証用登録情報記憶手段に記憶させる認証用登録情報設定手段を備えたことを特徴とする構成となっている。
【００５１】
この構成の管理端末装置では、請求項１６乃至２０のいずれかに記載の発明の作用に加えて、管理端末装置の認証用登録情報設定手段は、認証用登録情報の設定を行い、認証用登録情報を認証用登録情報記憶手段に記憶させる。
【００５２】
また、請求項２２に係る発明の管理端末装置では、請求項２１に記載の発明の構成に加えて、前記管理端末装置は、操作者を特定する特定情報を記憶する特定情報記憶手段と、前記特定情報を入力する特定情報入力手段と、当該特定情報入力手段により入力された特定情報が前記特定情報記憶手段に記憶されている前記特定情報と一致するか否かの判定を行う特定情報判定手段と、当該特定情報判定手段により一致していると判定された場合にのみ、前記認証用登録情報設定手段において前記認証用登録情報の設定を行う認証用登録情報設定制御手段とを備えたことを特徴とする構成となっている。
【００５３】
この構成の管理端末装置では、請求項２１に記載の発明の作用に加えて、管理端末装置の特定情報記憶手段は、操作者を特定する特定情報を記憶し、特定情報入力手段は、特定情報を入力し、特定情報判定手段は、特定情報入力手段により入力された特定情報が特定情報記憶手段に記憶されている特定情報と一致するか否かの判定を行い、認証用登録情報設定制御手段は、特定情報判定手段により一致していると判定された場合にのみ、認証用登録情報設定手段において認証用登録情報の設定を行う。
【００５４】
また、請求項２３に係る発明の管理端末装置では、請求項１６乃至２２のいずれかに記載の発明の構成に加えて、前記装置は遊技機であることを特徴とする構成となっている。
【００５５】
この構成の管理端末装置では、請求項１６乃至２２のいずれかに記載の発明の作用に加えて、装置は遊技機が用いられる。
【００５６】
また、請求項２４に係る発明の管理端末装置では、請求項２３に記載の発明の構成に加えて、前記遊技機は、当該遊技機を設置する遊技機設置台に前記遊技機を固定するための機枠と、前記遊技機の本体を前記機枠に設置するための本体枠と、遊技球が流下する遊技領域を保護するための前面枠と、鍵と錠とで構成され、前記機枠と前記本体枠、及び前記本体枠と前記前面枠とを施錠する施錠装置とを備え、前記認証部材は前記鍵に備えられていることを特徴とする構成となっている。
【００５７】
この構成の管理端末装置では、請求項２３に記載の発明の作用に加えて、遊技機の機枠は、遊技機を設置する遊技機設置台に遊技機を固定し、本体枠は、遊技機の本体を機枠に設置し、前面枠は、遊技球が流下する遊技領域を保護する。また、鍵と錠とで構成された施錠装置は、機枠と本体枠、及び本体枠と前面枠とを施錠し、鍵は認証部材を備えている。
【００５８】
また、請求項２５に係る発明の管理端末装置では、請求項１６乃至２４のいずれかに記載の発明の構成に加えて、当該管理端末装置の内部を開放するための扉と、鍵と錠とで構成され、前記扉を施錠する施錠装置とを備え、前記認証部材は前記鍵に備えられていることを特徴とする構成となっている。
【００５９】
この構成の管理端末装置では、請求項１６乃至２４のいずれかに記載の発明の作用に加えて、管理端末装置の扉は管理端末装置の内部を開放し、鍵と錠とで構成された施錠装置は扉を施錠する。
【００６０】
【発明の実施の形態】
以下、本発明の一実施の形態について図面を参照して以下の順で説明する。
1.システム構成の概要説明
2.装置の説明
3.管理端末装置の説明
4.ＩＣタグ監視装置での監視に関する説明
5.登録情報の変更に関する説明
6.認証用登録情報の変更に関する説明
7.実施の形態と請求項との対比
8.実施の形態の効果
9.変形例の説明
【００６１】
1.システム構成の概要説明
図１は、本実施の形態の監視システムの構成図である。本実施形態の監視システムでは、遊技機の一種であるパチンコ機１が「装置」として機能し、リーダライタユニット（以下、「Ｒ／Ｗユニット」と称する。）３０が「ＩＣタグ監視装置」として機能する。パチンコ機１にはＲ／Ｗユニット３０が付属しており、遊技場内にある複数台のパチンコ機１を背中合わせに２列に並べて設置した遊技機設置島２００の各々に管理端末装置１００が設置されている。さらに、パチンコ機１に付属のＲ／Ｗユニット３０が店内ネットワーク１５０を介して管理端末装置１００に接続される構成となっている。また、管理端末装置１００は遊技場全体を管理するホールコンピュータ３００に接続されており、このホールコンピュータ３００が各管理端末装置１００を一括管理している。
【００６２】
また、パチンコ機１には、パチンコ機１の制御を行う基板が備えられている基板ボックス８０（図３参照）の上蓋部８０ａの内面の正面視右下に監視用ＩＣタグ８６が取り付けられており（図７参照）、遊技球の入賞により多数の遊技球を払い出す大入賞口１６の開閉扉１６ａ（図２参照）に、監視用ＩＣタグ１８６が貼り付けられている（図８参照）。そして、Ｒ／Ｗユニット３０がこれらの監視用ＩＣタグ８６，１８６に監視用呼出波をアンテナを介して送信して監視用ＩＣタグ８６，１８６が備えられた基板ボックス８０及び大入賞口１６の開閉の監視、即ち上蓋部８０ａ及び開閉扉１６ａの異常の監視を行っている。
【００６３】
また、監視の結果、異常が発生したり、異常が回復したりした場合には、その情報が監視情報としてＲ／Ｗユニット３０に記憶され、管理端末装置１００に送信される。そこで、管理端末装置１００は監視情報を報知し、その監視情報に対して遊技場内で係員が対応できるように構成されている。また、管理端末装置１００では、監視情報の履歴を閲覧することができる。また、本実施の形態では、管理端末装置１００において、監視用ＩＣタグを監視するための情報である登録情報３２１（図１２参照）の設定を行うことができる。尚、登録情報３２１の設定には予め管理端末装置１００に登録されたＩＤコードを記憶した認証用ＩＣタグ１２６が埋め込まれた鍵１２１（図１１参照）が必要となる。さらに、この認証用ＩＣタグ１２６に関する設定も管理端末装置１００で行うことができる。
【００６４】
尚、図７に示す基板ボックス８０の上蓋部８０ａ及び図８に示す大入賞口１６の開閉扉１６ａが「部材」に相当し、開閉部材である上蓋部８０ａ及び開閉扉１６ａの開放が「部材の移動」に相当し、基板ボックス８０の上蓋部８０ａの内面の正面視右下及び大入賞口１６の開閉扉１６ａが「監視用ＩＣタグが備えられている位置」に相当している。本発明の監視システムでは、自身の部材の移動を監視するために、被監視部材の１又は複数の位置に監視用ＩＣタグを設置して、Ｒ／Ｗユニット３０が各監視用ＩＣタグに対して監視用呼出波を送信することにより被監視部材の移動を監視する。本実施の形態では、１つの被監視部材に対して１の位置にしか監視用ＩＣタグを設置していないが、例えば、基板ボックス８０について言うならば、上蓋部８０ａの内面の正面視右下だけでなく、正面視左上にも監視用ＩＣタグを設置して、１つの被監視部材に対して複数の位置に監視用ＩＣタグを設置することにより被監視部材の監視を行ってもよい。
【００６５】
2.装置の説明
次に、図２を参照してパチンコ機１について説明する。図２は、パチンコ機１の前面枠１１１及び本体枠１１０を開いた状態をパチンコ機１の前面から見た斜視図である。図２に示すように、パチンコ機１は、遊技機設置島２００に固定される機枠１１２と、本体１１３を囲い固定している本体枠１１０と、遊技盤２を保護する前面枠１１１とから構成されている。鍵穴１２０に鍵１２１（図１１参照）を挿入し、鍵１２１を左方向へ回転させると前面枠１１１が手前に開き、鍵１２１を右方向へ回転させると本体枠１１０が手前に開く。
【００６６】
また、パチンコ機１の本体枠１１０の内部には本体１１３がはめ込まれており、本体１１３の正面の上半分の部分には、略正方形の遊技盤２が設けられ、遊技盤２には、ガイドレール３で囲まれた略円形の遊技領域４が設けられていおり、前面枠１１１は透明なガラス板１１１ａを保持し、遊技盤２を覆っている。パチンコ機１の遊技盤２の下方部には、図示外の発射機に遊技球を供給し、また、賞品球を受ける上皿５が設けられ、上皿５の直下には、賞品球を受ける下皿６が設けられ、下皿６の右横には、発射ハンドル７が設けられ、上皿５と下皿６との間には、スピーカー４８が設けられている。また、遊技領域４の下部には、大入賞口１６が設けられている。尚、遊技盤２には、上記以外に、種々の入賞口、電飾ランプ、風車、障害釘及び図柄表示装置等が設けられている。
【００６７】
次に、図３を参照して、パチンコ機１の背面の構造について説明する。図３はパチンコ機１の背面図である。図３に示すように、パチンコ機１の左下部背面には、パチンコ機１の主制御を司る主制御基板４１を収納した基板ボックス８０が設けられ、基板ボックス８０の右隣には音基板４３が、音基板４３の右隣上方には電源基板４２が、その下方には払出制御基板４５がそれぞれ透明な樹脂製のボックスに収められて配置されている。さらに、基板ボックス８０の上方には、遊技盤の裏面を保護し、各種配線を覆うセンターカバー９０が配置され、そのセンターカバー９０の外側にＲ／Ｗユニット３０が設置されている。尚、Ｒ／Ｗユニット３０の電源は、電源基板４２からではなく遊技機設置島２００の電源装置（図示外）から供給されている。
【００６８】
次に、図４を参照してパチンコ機１及びパチンコ機１に付属したＲ／Ｗユニット３０の主な構成要素の電気的構成について説明する。図４は、パチンコ機１及びパチンコ機１に付属したＲ／Ｗユニット３０の電気的構成を示すブロック図である。
【００６９】
パチンコ機１には、主制御基板４１、電源基板４２、音基板４３、図柄表示基板４４、払出制御基板４５、電飾基板４６、中継基板４７、発射基板６６が設けられている。主制御基板４１には、各種の演算処理を行うＣＰＵ５１が設けられており、フラグやカウンタ値やデータやプログラム等を記憶するＲＡＭ５２と、制御プログラム及び各種の初期値のデータや図柄表示装置（図示外）への表示内容のデータ等を記憶したＲＯＭ５３とが接続している、これらのＣＰＵ５１、ＲＡＭ５２及びＲＯＭ５３は１つのＬＳＩ５０として一体にモールディングされている。また、ＣＰＵ５１は、Ｉ／Ｏインターフェース５４に接続しており、Ｉ／Ｏインターフェース５４には、Ｒ／Ｗユニット３０へデータを引き渡すための出力ポート５５、音基板４３、図柄表示基板４４、払出制御基板４５、電飾基板４６、中継基板４７、発射基板６６が接続している。また、主制御基板４１、音基板４３、図柄表示基板４４、払出制御基板４５、電飾基板４６、中継基板４７、発射基板６６はそれぞれ電源基板４２に接続し、電源の供給を受けている。さらに、パチンコ機１には監視用ＩＣタグ８６及び監視用ＩＣタグ１８６が、それぞれの監視部材である基板ボックス８０及び大入賞口１６に貼り付けられている。
【００７０】
また、Ｒ／Ｗユニット３０には、Ｒ／Ｗユニット３０の制御を司るＣＰＵ３１が設けられており、ＣＰＵ３１にはフラグやデータ等を一時的に記憶するＲＡＭ３３、制御プログラム及び各種の初期値のデータ等を記憶したＲＯＭ３４、及び、登録情報３２１（図１２参照）等を記憶するＥＥＰＲＯＭ３２が接続している。また、ＣＰＵ３１にはＩ／Ｏインターフェース３８が接続し、Ｉ／Ｏインターフェース３８には管理端末装置１００に接続するための店内ネットワーク１５０に接続する通信回路３７及びパチンコ機１の主制御基板４１の出力ポート５５と接続する入力ポート３６が接続している。さらに、ＣＰＵ３１には、監視用ＩＣタグ８６，監視用ＩＣタグ１８６へ呼出波を送信し、反射波を受信するためのＲＦ回路３５が接続している。さらに、ＲＦ回路３５にはパチンコ機１に設置されている監視用アンテナ６８，監視用アンテナ１６８及び認証用アンテナ１２８が接続している。監視用アンテナ６８は監視用ＩＣタグ８６と通信をし，監視用アンテナ１６８は監視用ＩＣタグ１８６と通信をする。
【００７１】
次に、図５及び図６を参照して監視用ＩＣタグ８６の構造について説明する。図５は、監視用ＩＣタグ８６の平面図である。図６は、監視用ＩＣタグ８６の電気的回路構成を示すブロック図である。監視用ＩＣタグ８６には、図６に示すように、Ｒ／Ｗユニット３０からの監視用呼出波に応答して監視用反射波を放出するＲＦ回路８６ａ、アンテナ８６ｂ、ＥＥＰＲＯＭ８６ｃが搭載されている。また、監視用ＩＣタグ８６は、図５に示すように、薄いフレキシブルプリント基板上にアンテナ８６ｂ及びＩＣチップ８６ｄが設けられており、ＩＣチップ８６ｄには、ＲＦ回路８６ａとＥＥＰＲＯＭ８６ｃとが一体となって構成されている。さらに、ＥＥＰＲＯＭ８６ｃには、監視用ＩＣタグ８６を他の監視用ＩＣタグから識別するための識別情報であるＩＤコードが上書消去禁止区域に記憶されている。
【００７２】
Ｒ／Ｗユニット３０から監視用アンテナ６８を介して監視用呼出波が送られてくると、アンテナ８６ｂがこれを受信するが、この監視用呼出波には搬送波成分が含まれており、これを受信してＲＦ回路８６ａで整流して直流電圧を得る。従って、監視用ＩＣタグ８６は、電池や外部電源を使用せずに必要な時にいつでもデータを発信することができる。データの発信は、ＥＥＰＲＯＭ８６ｃからＩＤコードを読み出して監視用反射波に乗せ、ＲＦ回路８６ａから監視用アンテナ６８に向けて送信する。
【００７３】
尚、監視用ＩＣタグ８６と監視用ＩＣタグ１８６とは、同様の構造をしており、監視用ＩＣタグ１８６もＲＦ回路、アンテナ、ＥＥＰＲＯＭを搭載し、薄いフレキシブルプリント基板上にアンテナ及びＩＣチップが設けられて、ＩＣチップには、ＲＦ回路とＥＥＰＲＯＭとが一体となって構成されている。そして、ＥＥＰＲＯＭには、監視用ＩＣタグ１８６を他の監視用ＩＣタグから識別するための識別情報であるＩＤコードが上書消去禁止区域に記憶されている。
【００７４】
次に、図７を参照して基板ボックス８０を監視するために、基板ボックス８０に備えられた監視用ＩＣタグ８６及び監視用アンテナ６８について説明する。図７は基板ボックス８０の斜視図である。尚、被監視部材である基板ボックス８０に貼り付けられた監視用ＩＣタグ８６の貼り付け位置を示す位置特定符号を、本実施の形態では「ＢＯＸ」とする。
【００７５】
図７に示すように、基板ボックス８０は、透明な樹脂製の平面視略長方形の上蓋部８０ａと、同じく透明な樹脂製の平面視略長方形の下蓋部８０ｃとから構成されている。また、上蓋部８０ａに対向する下蓋部８０ｃ上には、パチンコ機１の主制御を司る主制御基板４１が配置されている。そして、上蓋部８０ａの裏面側には、小型で長方形の監視用ＩＣタグ８６（図５参照）が接着剤等で接着されている。主制御基板４１の右下端部には、切り欠きが設けられ、その切り欠き位置には監視用ＩＣタグ８６と電磁波によるＲＦ送受信を行うためのコイル状の監視用アンテナ６８が下蓋部８０ｃに設けられ、監視用アンテナ６８は同軸ケーブルによりＲ／Ｗユニット３０に接続されている。
【００７６】
尚、本実施形態において、監視用ＩＣタグ８６と監視用アンテナ６８は、１３．５６ＭＨｚの短波帯で通信を行っている。この周波数での通信はノイズによる影響を受けにくいので、パチンコ機１の設置環境に適している。監視用アンテナ６８と監視用ＩＣタグ８６との距離は、上蓋部８０ａと下蓋部８０ｃを組み付けた状態で約３ｍｍになるように配置されている。この距離間ではＲＦ送受信が可能であり監視用アンテナ６８を介したＲ／Ｗユニット３０からの呼び出しに監視用ＩＣタグ８６が応答することができ、監視用アンテナ６８と監視用ＩＣタグ８６との距離が約５ｍｍを超えると通信不能となるように設定されている。この通信可能距離は、監視用アンテナ６８のコイルの巻き数やリアクタンス値により調節が可能である。このように通信可能距離を設定することにより、上蓋部８０ａのわずかな隙間の開放であっても検知することができ、また、振動等によるわずかな揺れでは通信不能とならないように調整されている。また、上述したように、この周波数帯での通信はノイズによる影響を受けにくいが、他の電磁波を使用する部材からのノイズの影響による誤動作を少しでも防ぐために、監視用ＩＣタグ８６や監視用アンテナ６８は、ソレノイドを使用している賞品払出装置や発射モータから離した位置である主制御基板４１の右下端部に配置している。
【００７７】
次に、図８を参照して、所定条件の成立により開閉扉１６ａを開閉する可変入賞装置の一種である大入賞口１６が設けられているアタッカ部材１６０への監視用ＩＣタグ１８６の設置について説明する。図８は、開閉扉１６ａが開放されている状態のアタッカ部材１６０の斜視図である。尚、被監視部材である大入賞口１６の開閉扉１６ａに貼り付けられた監視用ＩＣタグ１８６の貼り付け位置を示す位置特定符号を、本実施の形態では「ＤＡＩ」とする。
【００７８】
図８に示すように、アタッカ部材１６０の開閉扉１６ａの表面には、前述した監視用ＩＣタグ１８６（図５参照）が貼り付けられ、さらに監視用ＩＣタグ１８６を覆うように装飾シール等が貼付されて遊技者からは見えないようになっている。また、アタッカ部材１６０の開口部１６ｂである大入賞口１６の周囲には、監視用ＩＣタグ１８６を囲むようにループ形状の監視用アンテナ１６８が設けられ、監視用アンテナ１６８は同軸ケーブルによりＲ／Ｗユニット３０に接続されている。
【００７９】
この監視用ＩＣタグ１８６は、送受信方向に指向性があり、監視用アンテナ１６８と平行に位置した場合のみ送受信可能である。大入賞口１６の閉鎖状態では、開閉扉１６ａが大入賞口１６の開口部１６ｂを塞いでおり、監視用ＩＣタグ１８６と監視用アンテナ１６８はほぼ同一平面上に位置しているので、送受信可能であり、監視用アンテナ１６８を介したＲ／Ｗユニット３０からの監視用呼出波に対して監視用ＩＣタグ１８６から監視用反射波が返される。一方、図８に示すように開閉扉１６ａが開くと、監視用ＩＣタグ１８６と監視用アンテナ１６８とは平行でなくなり、通信可能な臨界角度を超えるので、監視用ＩＣタグ１８６はＲ／Ｗユニット３０からの呼び出しに応答できなくなる。
【００８０】
また、監視用アンテナ１６８と監視用ＩＣタグ１８６間の通信も１３．５６ＭＨｚの短波帯で行われており、この周波数帯での通信はノイズによる影響を受けにくいが、他の電磁波を使用する部材からのノイズの影響による誤動作を少しでも防ぐために、開閉扉１６ａの動作を制御する大入賞口開放ソレノイド７０は、監視用ＩＣタグ１８６や監視用アンテナ１６８から離したアタッカ部材１６０の左奥に配置されている。
【００８１】
3.管理端末装置の説明
次に、管理端末装置１００の構成について図９を参照して説明する。図９は、管理端末装置１００の操作扉１１８を開いた状態の管理端末装置１００の前面から見た斜視図である。管理端末装置１００は、Ｒ／Ｗユニット３０がパチンコ機１に備えられた監視用ＩＣタグを監視し、エラーを検知した場合に、そのエラーを報知する。また、監視結果の履歴情報である監視情報を閲覧することができる。
【００８２】
また、この管理端末装置１００では、登録情報３２１の変更設定を行うことができる。そこで、登録情報３２１の設定を誰もが自由に行うことができないように、認証用ＩＣタグ１２６を埋め込んだ鍵１２１（図１１参照）を使用する。予め管理端末装置１００に登録されているＩＤコードを記憶した認証用ＩＣタグ１２６が埋め込まれた鍵１２１が鍵穴１３０に差し込まれて、認証状態となっている場合にのみ、登録情報３２１の設定を行えるものとする。
【００８３】
さらに、この管理端末装置１００では、認証用ＩＣタグ１２６のＩＤコードの設定も行うことができる。この認証用ＩＣタグ１２６のＩＤコードの設定についても、誰もが行えてはならない。そこで、認証が必要となる。しかし、管理端末装置１００に登録されている鍵１２１の全てを紛失してしまったり、破損してしまったりした場合には、新しい鍵１２１のＩＤコードを管理端末装置１００へ登録する必要があるが、認証を行うことができない。そこで、認証用ＩＣタグ１２６のＩＤコードの設定については、パスワードを使用して認証を行う。
【００８４】
図９に示すように、管理端末装置１００は略直方体の形状で、遊技機設置島２００の一端に取り付けられており、箱状の本体箱１１９の前面に開閉可能な操作扉１１８を備えている。また、図９における管理端末装置１００の正面左端部に操作扉１１８が軸支され、本体箱１１９に接続し、開閉可能となっている。また、操作扉１１８の外面右下には操作扉１１８の施錠を行うため鍵１２１を挿入する鍵穴１３０が設けられており、この鍵穴１３０に鍵１２１を挿入し、右方向へ回転させると操作扉１１８が手前に開くようになっている。さらに、操作扉１１８の裏面の鍵穴１３０の近傍には、鍵１２１に埋め込まれている認証用ＩＣタグ１２６と通信を行うための認証用アンテナ１２８が備えられている。
【００８５】
また、管理端末装置１００の背面には、Ｒ／Ｗユニット３０とデータのやり取りを行うためのケーブル（図示外）が備えられ、遊技機設置島２００に設置されているパチンコ機１に備えられているＲ／Ｗユニット３０と接続している。また、操作扉１１８の外面には表示画面１０１、監視ボタン１０３、監視履歴ボタン１０４、設定履歴ボタン１０５、設定ボタン１０６、停止ボタン１０２、入力キー１０７及び矢印キー１０８が備えられている。また、本体箱１１９の内部にはＣＰＵ９８、ＲＯＭ９７、ＲＡＭ１１３、ＥＥＰＲＯＭ１１４及びＲＦ回路１１５等（図１０参照）を備えた本体装置１２３が設けられており、操作扉１１８の外面に備えられている表示画面１０１、各種入力ボタン、入力キー及び認証用ＩＣタグ１２６とケーブル（図示外）で接続している。
【００８６】
また、表示画面１０１に表示される画面は、監視ボタン１０３、監視履歴ボタン１０４及び設定履歴ボタン１０５、設定ボタン１０６を押下することにより、切り替えることができる。監視ボタン１０３を押下すると、監視モード画面が表示され、監視履歴ボタン１０４を押下すると、監視履歴モード画面が表示され、設定履歴ボタン１０５を押下すると、設定履歴モード画面が表示され、設定ボタン１０６が押下されると設定モード画面が表示される。尚、起動時には、監視モード画面が表示されている。
【００８７】
監視モード画面では、管理端末装置１００に接続されているパチンコ機１のいずれかで基板ボックス８０及び大入賞口１６の不正開放が検出され、監視データがＲ／Ｗユニット３０から送信されてきた場合には、「１０４番台  大入賞口１６不正開放！！  １８：２２：５５」等のパチンコ機１の台番号、不正内容及び不正発生時刻が表示される。不正が発生していない場合には、「現在、正常稼働中」の表示がなされている。複数の不正が同時に発生した場合には、それらの報知画面が所定時間ごと、例えば５秒毎に切り替わり、繰り返し表示される。また、不正開放データがパチンコ機１のＲ／Ｗユニット３０から送信されてきた場合には、警告ランプ１０９が点灯し、遊技場の係員の注意を喚起するようになっており、停止ボタン１０２の押下により消灯させることができる。また、入力キー１０７及び矢印キー１０８は表示画面１０１に表示された画面を操作する際に用いられる。
【００８８】
また、設定モード画面では、登録情報３２１や認証用ＩＣタグ１２６のＩＤコードが登録されている認証用登録情報１１４１（図１６参照）の設定を行う。また、監視履歴モード画面では、各パチンコ機１に備えられたＲ／Ｗユニット３０が基板ボックス８０及び大入賞口１６を監視した結果である監視情報を閲覧することができる。また、設定履歴モード画面では、設定モード画面を用いて行われた各パチンコ機１の登録情報３２１の変更の履歴情報や認証用登録情報１１４１の変更の履歴情報を閲覧することができる。
【００８９】
図９に示す例では、監視モード画面が表示されており、エラー１、エラー２、エラー３の３つの不正が発生し、エラー２の内容を示す画面が表示されている。エラー２は、１０４番台で大入賞口１６の不正開放が１８時２２分５５秒に発生している。
【００９０】
次に、管理端末装置１００の電気的構成について図１０を参照して説明する。図１０は管理端末装置１００の電気的構成を示すブロック図である。図１０に示すように、管理端末装置１００は、各種の演算を行うＣＰＵ９８が設けられ、ＣＰＵ９８には、フラグやデータ等を一時的に記憶するＲＡＭ１１３と、制御プログラム及び各種の初期値のデータ等を記憶したＲＯＭ９７と、認証用登録情報１１４１、登録情報１１４２、パスワード情報（図示外）等を記憶したＥＥＰＲＯＭ１１４と、Ｉ／Ｏインターフェース９９とが接続している。
【００９１】
また、ＣＰＵ９８には認証用ＩＣタグ１２６へ呼出波を送信し、反射波を受信するためのＲＦ回路１１５が接続している。さらに、ＲＦ回路１１５には認証用アンテナ１２８が接続している。認証用アンテナ１２８は認証用ＩＣタグ１２６と通信をする。また、Ｉ／Ｏインターフェース９９には、警告ランプ１０９、表示画面１０１、停止ボタン１０２、監視ボタン１０３、監視履歴ボタン１０４、設定履歴ボタン１０５、設定ボタン１０６、入力キー１０７及び矢印キー１０８が備えられている。さらに、Ｉ／Ｏインターフェース９９は通信回路１１７を介して店内ネットワーク１５０に接続している。
【００９２】
次に、鍵１２１の構造について図１１を用いて説明する。図１１は、鍵１２１の平面図である。尚、この鍵１２１が「認証部材」に相当する。図１１に示すように、鍵１２１は、把持部１２２のカバー内部に認証用ＩＣタグ１２６が埋め込まれている。この鍵１２１は、管理端末装置１００の操作扉１１８（図９参照）の開閉及び認証に使用される。尚、認証用ＩＣタグ１２６は、把持部１２２のカバー内部に埋め込むために、細い円筒型（スティック型）に形成されている。また、その電気的回路構成は、監視用ＩＣタグ８６及び監視用ＩＣタグ１８６と同様で、認証用ＩＣタグ１２６もＲＦ回路、アンテナ、ＥＥＰＲＯＭを搭載している。円筒中にはアンテナ及びＩＣチップが設けられて、ＩＣチップには、ＲＦ回路とＥＥＰＲＯＭとが一体となって構成されている。そして、ＥＥＰＲＯＭには、認証用ＩＣタグ１２６を他のＩＣタグと識別するための識別情報であるＩＤコードが上書消去禁止区域に記憶されている。また、この鍵１２１は複数存在してもよい。ただし、その際には各鍵１２１に埋め込まれている認証用ＩＣタグ１２６のＩＤコードは、各認証用ＩＣタグ１２６毎に異なる。尚、鍵１２１はパチンコ機１の前面枠１１１及び本体枠１１０の開閉にも使用される。
【００９３】
4.ＩＣタグ監視装置での監視に関する説明
次に、図１２乃至図１５を参照して、Ｒ／Ｗユニット３０がパチンコ機１に取り付けられた監視用ＩＣタグ８６及び監視用ＩＣタグ１８６を監視する監視処理について説明する。図１２は、Ｒ／Ｗユニット３０のＥＥＰＲＯＭ３２の登録情報記憶エリアに記憶されている登録情報３２１の模式図である。図１３は、Ｒ／Ｗユニット３０のＲＡＭ３３の監視処理使用データ記憶エリアに記憶されている監視処理使用データ３３１の模式図である。図１４は、Ｒ／Ｗユニット３０で行われるメイン処理のフローチャートである。Ｒ／Ｗユニット３０は、このメイン処理の中で監視用ＩＣタグの監視処理を行っている。図１５は、Ｒ／Ｗユニット３０で行われるメイン処理の中で行われる監視処理のフローチャートである。
【００９４】
まず、図１２を参照して、Ｒ／Ｗユニット３０のＥＥＰＲＯＭ３２の登録情報記憶エリアに記憶されている登録情報３２１について説明する。登録情報３２１には、基板ボックス８０及び大入賞口１６を監視するための情報が登録されている。登録情報３２１は、監視される位置毎に１つの登録データが登録されており、図１２に示すようにデータ番号欄３２１ａ、位置特定符号欄３２１ｂ、ＩＤコード欄３２１ｃ及び監視間隔時間欄３２１ｄが設けられている。
【００９５】
データ番号欄３２１ａには、登録データのデータ番号が「１」から順に振られている。位置特定符号欄３２１ｂには、その登録データがパチンコ機１の被監視部材のどの位置を監視するためのものであるかを特定するための位置特定符号が英数字で登録されている。登録データは１つの被監視部材の被監視位置に付き１つしか登録されないので、異なる登録データに同じ位置特定符号が記憶されることはない。ＩＤコード欄３２１ｃには、被監視位置に貼り付けられている監視用ＩＣタグに記憶されているＩＤコードが登録されている。監視間隔時間欄には、Ｒ／Ｗユニット３０が被監視部材に貼り付けられている監視用ＩＣタグに監視用アンテナを介して監視用呼出波を送信して、監視を行うタイミングを指定するための時間がミリ秒単位で登録されている。ここに登録されている時間毎に監視用呼出波が送信される。
【００９６】
図１２に示す例では、データ番号欄３２１ａが「１」である登録データの位置特定符号欄３２１ｂには「ＢＯＸ」、ＩＤコード欄３２１ｃには「１５５７００１Ｈ」、監視間隔時間欄３２１ｄには「３０００」ミリ秒が登録されている。尚、位置特定符号「ＢＯＸ」は基板ボックス８０を示している。また、データ番号欄３２１ａが「２」である登録データの位置特定符号欄３２１ｂには「ＤＡＩ」、ＩＤコード欄３２１ｃには「００１１Ｎ２２１」、監視間隔時間欄３２１ｄには「５０」ミリ秒が登録されている。尚、位置特定符号「ＤＡＩ」は大入賞口１６を示している。
【００９７】
次に、図１３を参照してＲ／Ｗユニット３０のＲＡＭ３３の監視処理使用データ記憶エリアに記憶されている監視処理使用データ３３１について説明する。監視処理使用データ３３１には、基板ボックス８０及び大入賞口１６を監視する際に使用されるカウンタやフラグが記憶されている。図１３に示すように、監視処理使用データ３３１には、データ番号欄３３１ａ、監視カウンタ欄３３１ｂ、ＩＤフラグ欄３３１ｃ及び消失フラグ欄３３１ｄが設けられている。尚、監視処理使用データ３３１のデータ番号欄３３１ａは、登録情報３２１のデータ番号欄３２１ａに記憶されているデータ番号と対応している。つまり、登録情報３２１のデータ番号欄３２１ａが「１」である被監視部材を監視する際には、監視処理使用データ３３１のデータ番号欄３３１ａが「１」である監視カウンタ、ＩＤフラグ及び消失フラグが使用される。
【００９８】
データ番号欄３３１ａには、データ番号が「１」から順に振られている。監視カウンタ欄３３１ｂには、当初、登録情報３２１の監視間隔時間がセットされ、図示外の時間管理プログラムにより１ミリ秒毎に減算される。また、ＩＤフラグ欄３３１ｃには、被監視位置に貼り付けられた監視用ＩＣタグに監視用呼出波を送信した際に返されて来た監視用反射波に含まれていたＩＤコードが、ＩＤコード欄３２１ｃに登録されているものと一致しない場合に、「ＩＤコードエラー」となり、「１」がセットされて「ＯＮ」状態となる。ＩＤコードエラーが発生していない状態では「ＯＦＦ」状態で「０」がセットされている。また、消失フラグ欄３３１ｄには、被監視位置に貼り付けられた監視用ＩＣタグに監視用呼出波を送信した際に監視用反射波が返されてこなかった場合に、「応答エラー」となり、「１」がセットされて「ＯＮ」状態となる。応答エラーが発生していない状態では「ＯＦＦ」状態で「０」がセットされている。
【００９９】
図１３に示す例では、データ番号欄３３１ａが「１」である登録データの監視カウンタ欄３３１ｂには「１９７８」、ＩＤフラグ欄３３１ｃには「０」、消失フラグ欄３３１ｄには「０」がセットされている。データ番号欄３３１ａが「１」である登録データの監視カウンタ欄３３１ｂには「８」、ＩＤフラグ欄３３１ｃには「０」、消失フラグ欄３３１ｄには「０」がセットされている。
【０１００】
次に、図１４を参照してメイン処理について説明する。このメイン処理では、登録情報３２１に記憶されている監視間隔時間に従い、監視用アンテナから監視用呼出波を送信して、被監視部材に設置されている監視用ＩＣタグの監視をする監視処理を行う。尚、このメイン処理は、Ｒ／Ｗユニット３０に電源が投入され、起動処理が終了した後に開始され、Ｒ／Ｗユニット３０の電源がＯＮである間継続して実施される。Ｒ／Ｗユニット３０は、パチンコ機１の電源基板から電源の供給を受けていないため、夜間にパチンコ機１の電源をＯＦＦしたとしても、電源断とはならず処理は中断されないため、夜間にも監視を続けることができる。
【０１０１】
まず、データ番号カウンタｎに初期値の「０」をセットする（Ｓ１）。このデータ番号カウンタｎは、図１２に示す登録情報３２１のデータ番号をカウントするためのカウンタであり、データカウンタｎ番目の登録データに登録されている位置特定符号が示している被監視位置の監視が行われる。次いで、データ番号カウンタｎに「１」を加算し（Ｓ２）、データ番号カウンタｎの値が登録情報３２１のデータ数である「２」よりも大きいか否かを確認する（Ｓ３）。データ番号カウンタｎの値が「２」よりも大きくなければ（Ｓ３：ＮＯ）、監視処理使用データ３３１のｎ番目のデータの監視カウンタ欄３３１ｂ欄の値が「０」より大きいか否かを確認する（Ｓ４）。この監視カウンタ欄３３１ｂ欄の値は、本メイン処理とは別処理の時間管理プログラムにおいて、１ミリ秒毎に減算され、「０」以下となると監視時刻が到来したことになる。ｎ番目のデータの監視カウンタ欄３３１ｂ欄の値が「０」より大きい場合には（Ｓ４：ＹＥＳ）、まだ監視時刻となっていないので、Ｓ２へ戻る。ｎ番目のデータの監視カウンタ欄３３１ｂ欄の値が「０」より大きくない場合には（Ｓ４：ＮＯ）、監視時刻となっているので、次回の監視のために登録情報３２１のｎ番目の登録データの監視間隔時間欄３２１ｄに記憶されている値を監視カウンタ欄３３１ｂ欄へセットする（Ｓ５）。
【０１０２】
次いで、ｎ番目の登録情報３２１の登録データの位置特定符号欄３２１ｂに記憶されている位置特定符号が「ＤＡＩ」であるか否かを確認する（Ｓ６）。位置特定符合「ＤＡＩ」は、大入賞口１６の開閉扉１６ａを示しており、この開閉扉１６ａはパチンコ機１が大当たり中であれば開放されるため、パチンコ機１が大当たり中には開閉扉１６ａの開放を監視する必要はない。そこで、位置特定符号が「ＤＡＩ」である場合には（Ｓ６：ＹＥＳ）、パチンコ機１が大当たり中であるか否かを確認し（Ｓ７）、大当たり中である場合には（Ｓ７：ＹＥＳ）、何もせずにＳ２へ戻る。大当たり中であるか否かの判断は、大当たりフラグにより行う。この大当たりフラグは主制御基板４１からの信号の受信により、ＯＦＦ／ＯＮが行われる。大当たり中でない場合には（Ｓ７：ＮＯ）、位置特定符号が「ＤＡＩ」である被監視位置、すなわち大入賞口１６の開閉扉１６ａの監視処理を行う（Ｓ８）。また、ｎ番目の位置特定符号が「ＤＡＩ」でない場合には（Ｓ６：ＮＯ）、必ず監視が行われるので、Ｓ８へ進み、ｎ番目の登録情報３２１の登録データに記憶された位置への監視処理を行う。尚、この監視処理の詳細については、図１５で後述する。監視処理終了後には、Ｓ２へ戻る。
【０１０３】
続いて、データ番号カウンタｎに「１」を加算し（Ｓ２）、データ番号カウンタｎの値が「２」よりも大きれば（Ｓ３：ＹＥＳ）、Ｓ１へ戻る。
【０１０４】
次いで、図１５を参照してメイン処理の中で行われる監視処理（図１４：Ｓ８）についてフローチャートを用いて説明する。この監視処理は、データ番号がメイン処理中で更新されるデータ番号カウンタｎの値である登録情報３２１の登録データの位置特定符号欄３２１ｂに記憶されている位置特定符号が示す被監視位置を監視するための監視用アンテナから、監視用呼出波を送信することにより基板ボックス８０及び大入賞口１６の開放を監視する。
【０１０５】
まず、ｎ番目の位置特定符号欄３２１ｂに記憶されている位置特定符号が示す被監視位置を監視するために設けられている監視用アンテナから監視用呼出波を送信する（Ｓ２１）。この監視用アンテナは、位置特定符号が「ＤＡＩ」である場合には監視用アンテナ１６８であり、位置特定符号が「ＢＯＸ」である場合には監視用アンテナ６８である。次いで、監視用ＩＣタグから監視用反射波の返送が所定時間内にあるか否かを確認する（Ｓ２２）。本実施の形態では、この所定時間は例えば１０ミリ秒とする。
【０１０６】
所定時間内に監視用反射波の返送がない場合には（Ｓ２２：ＮＯ）、監視用ＩＣタグが監視用アンテナと通信できない位置にある、すなわち監視用ＩＣタグの設置部材が不正に開放されていると考えられる。そこで、まず監視処理使用データ３３１のｎ番目の消失フラグ欄３３１ｄに「１」がセットされて「ＯＮ」となっているか否かを確認する（Ｓ２３）。ｎ番目の消失フラグ欄３３１ｄに「１」がセットされて「ＯＮ」となっている場合には（Ｓ２３：ＹＥＳ）、すでにこの不正開放が検知され、監視データが監視情報に記憶されているので、再度監視データを作成しないために何もせずに処理を終了する。ｎ番目の消失フラグ欄３３１ｄに「１」がセットされて「ＯＮ」となっていない場合には（Ｓ２３：ＮＯ）、今回の監視にて初めてこの不正開放が検知されたので、監視処理使用データ３３１のｎ番目の消失フラグ欄３３１ｄに「ＯＮ」をセットする（Ｓ２４）。そして、監視情報３２３へ消失エラー発生の監視データを追加記憶し（Ｓ２５）、管理端末装置１００へ新しい監視データを送信して（Ｓ２６）、処理を終了する。
【０１０７】
所定時間内に監視用反射波の返送があった場合には（Ｓ２２：ＹＥＳ）、監視用反射波に含まれているＩＤコードが登録情報３２１のｎ番目の登録データのＩＤコード欄３２１ｃに記憶されているＩＤコードと一致するか否かを確認する（Ｓ２７）。
【０１０８】
Ｓ２７にてＩＤコードが一致しない場合には（Ｓ２７：ＮＯ）、監視処理使用データ３３１のｎ番目のＩＤフラグ欄３３１ｃに「１」がセットされて「ＯＮ」となっているか否かを確認する（Ｓ２８）。「ＯＮ」である場合には（Ｓ２８：ＹＥＳ）、すでにこのＩＤコードエラーが検知され、監視データが監視情報に記憶されているので、再度監視データを作成しないために何もせずに処理を終了する。「ＯＮ」でない場合には（Ｓ２８：ＮＯ）、ｎ番目のＩＤフラグ欄３３１ｃに「１」をセットして「ＯＮ」とし（Ｓ２９）、監視情報へＩＤコードエラー発生の監視データを追加記憶し（Ｓ３０）、管理端末装置１００へ監視データを送信して（Ｓ３１）、処理を終了する。
【０１０９】
Ｓ２７にてＩＤコードが一致した場合には（Ｓ２７：ＹＥＳ）、被監視位置に備えられた監視用ＩＣタグは正常である。そこで、監視処理使用データ３３１のｎ番目の消失フラグ欄３３１ｄに「１」がセットされて「ＯＮ」となっているか否かを確認する（Ｓ３２）。「ＯＮ」である場合には（Ｓ３２：ＹＥＳ）、消失エラーから回復したのでｎ番目の消失フラグ欄３３１ｄに「０」をセットして「ＯＦＦ」とし（Ｓ３３）、監視情報へ消失エラー回復の監視データを追加記憶し（Ｓ３４）、監視データを管理端末装置１００へ送信して（Ｓ３５）、Ｓ３６へ進む。「ＯＮ」でない場合には（Ｓ３２：ＮＯ）、何もせずにＳ３６へ進む。
【０１１０】
Ｓ３６では、監視処理使用データ３３１のｎ番目のＩＤフラグ欄３３１ｃに「１」がセットされて「ＯＮ」となっているか否かを確認する（Ｓ３６）。「ＯＮ」である場合には（Ｓ３６：ＹＥＳ）、ＩＤコードエラーから回復しているのでｎ番目のＩＤフラグ欄３３１ｃに「０」をセットして「ＯＦＦ」とし（Ｓ３７）、監視情報へＩＤコードエラー回復の監視データを追加記憶し（Ｓ３８）、監視データを管理端末装置１００へ送信して（Ｓ３９）、処理を終了する。「ＯＮ」でない場合には（Ｓ３６：ＮＯ）、何もせずに、処理を終了する。
【０１１１】
5.登録情報の変更に関する説明
次に、図１６乃至図２１を参照して、登録情報の変更処理について説明する。登録情報の変更は、管理端末装置１００において、設定ボタン１０６を押下して、表示される設定モード画面を操作することにより行われる。管理端末装置１００では、登録情報の変更を行う際に、登録情報３２１をＲ／Ｗユニット３０から取得し、登録情報１１４２として記憶する。そして登録情報１１４２の設定を行い、変更後の登録情報１１４２をＲ／Ｗユニット３０へ送信する。Ｒ／Ｗユニット３０では、管理端末装置１００から登録情報が送信されてきた場合には、現在登録されている登録情報３２１に受信した登録情報を上書きする。
【０１１２】
図１６は、管理端末装置１００のＥＥＰＲＯＭ１１４の認証用登録情報記憶エリアに記憶されている認証用登録情報１１４１の模式図である。図１７は、管理端末装置１００のＥＥＰＲＯＭ１１４の登録情報記憶エリアに記憶されている登録情報１１４２の模式図である。図１８は、管理端末装置１００の表示画面１０１に表示される設定モード画面の監視用ＩＣタグ現在登録情報画面１０１ａのイメージ図である。図１９は、管理端末装置１００の表示画面１０１に表示される設定モード画面の監視用ＩＣタグ変更画面１０１ｂのイメージ図である。図２０は、Ｒ／Ｗユニット３０で行われる登録情報送受信処理のフローチャートである。図２１は、管理端末装置１００で行われる監視用ＩＣタグ設定処理のフローチャートである。
【０１１３】
まず、図１６を参照して、管理端末装置１００のＥＥＰＲＯＭ１１４の認証用登録情報記憶エリアに記憶されている認証用登録情報１１４１について説明する。認証用登録情報１１４１には、認証用ＩＣタグ１２６を識別するための識別情報であるＩＤコードが登録されている。ここに登録されているＩＤコードを記憶している認証用ＩＣタグ１２６を埋め込んだ鍵１２１を使用することにより、管理端末装置１００を認証状態とすることができる。図１６に示すように、認証用登録情報１１４１には、ＩＤコード１欄、ＩＤコード２欄、ＩＤコード３欄、ＩＤコード４欄、ＩＤコード５欄、ＩＤコード６欄、ＩＤコード７欄、ＩＤコード８欄の８つの欄が設けられている。ＩＤコード１欄〜ＩＤコード８欄には、鍵１２１に埋め込まれている認証用ＩＣタグ１２６に記憶されているＩＤコードが記憶されている。遊技場内においては、例えば店員の数分だけ鍵１２１が複数存在することも考えられるので、ＩＤコード１欄〜ＩＤコード８欄の８つの欄が設けられている。すなわち、本実施の形態では、８つの鍵１２１を登録することができる。
【０１１４】
図１６に示す例では、ＩＤコード１欄には「１６１７４０９８」、ＩＤコード２欄には「ＦＴ１７６４９５」、ＩＤコード３欄には「０００８３０８２」が登録されており、ＩＤコード４欄、ＩＤコード５欄、ＩＤコード６欄、ＩＤコード７欄及びＩＤコード８欄には登録されていない。
【０１１５】
次に、図１７を参照して、管理端末装置１００のＥＥＰＲＯＭ１１４の登録情報記憶エリアに記憶されている登録情報１１４２について説明する。この登録情報１１４２は、管理端末装置１００が登録情報送信依頼電文を、Ｒ／Ｗユニット３０へ送信することにより、Ｒ／Ｗユニット３０から送信されてきた登録情報を管理端末装置１００がＥＥＰＲＯＭ１１４に記憶したものである。したがって、Ｒ／Ｗユニット３０のＥＥＰＲＯＭ３２に記憶されている登録情報３２１と同じ構成となっており、図１７に示すようにデータ番号欄１１４２ａ、位置特定符号欄１１４２ｂ、ＩＤコード欄１１４２ｃ及び監視間隔時間欄１１４２ｄが設けられている。
【０１１６】
図１７に示す例では、データ番号欄１１４２ａが「１」である登録データの位置特定符号欄１１４２ｂには「ＢＯＸ」、ＩＤコード欄１１４２ｃには「１５５７００１Ｈ」、監視間隔時間欄１１４２ｄには「３０００」ミリ秒が登録されている。また、データ番号欄１１４２ａが「２」である登録データの位置特定符号欄１１４２ｂには「ＤＡＩ」、ＩＤコード欄１１４２ｃには「００１１Ｎ２２１」、監視間隔時間欄１１４２ｄには「５０」ミリ秒が登録されている。
【０１１７】
次に、図１８を参照して、管理端末装置１００の表示画面１０１に表示される設定モード画面の監視用ＩＣタグ現在登録情報画面１０１ａについて説明する。この監視用ＩＣタグ現在登録情報画面１０１ａには、管理端末装置１００がＲ／Ｗユニット３０から取得した登録情報の内容が表示されている。図１８に示すように、画面左上には「設定モード画面」と表示されており、その下行にどのパチンコ機１の登録情報が表示されているのかを示す台番号が「１０４」と表示されている。さらにその下行には、現在の画面が監視用ＩＣタグの現在の登録情報を表示していることを示す文言として「監視用ＩＣタグ：現在登録情報」と表示されている。さらにその下に、登録情報の内容を示す表が表示されている。この表にはデータ番号欄、位置特定符号欄、ＩＤコード欄及び間隔欄が設けられており、図１８に示す例では、データ番号欄「１」の位置特定符号欄は「ＢＯＸ」であり、ＩＤコード欄は「１５５７００１Ｈ」であり、間隔欄は「３０００」である。また、データ番号欄「２」の位置特定符号欄は「ＤＡＩ」であり、ＩＤコード欄は「００１１Ｎ２２１」であり、間隔欄は「５０」であり、データ番号欄「３」及び「４」には何も表示されていない。
【０１１８】
さらに、表の右下には入力項目として指定番号欄が設けられており、画面最下部には、「変更」ボタン、「追加」ボタン、「削除」ボタン及び「キャンセル」ボタンが設けられている。管理端末装置１００の操作者は、指定番号欄に変更、追加、又は削除を行うデータ番号を入力キー１０７及び矢印キー１０８を使用して入力する。そして、「変更」ボタンを選択すると変更画面が表示され、指定番号欄に入力したデータ番号の登録データの変更を行うことができる。「追加」ボタンを選択すると追加画面が表示され、指定番号欄に入力したデータ番号に登録データの追加を行うことができる。「削除」ボタンを選択すると削除画面が表示され、指定番号欄に入力したデータ番号の登録データの削除を行うことができる。また、「キャンセル」ボタンを選択すると、監視用ＩＣタグの設定を行うことなく、監視モード画面へ戻る。
【０１１９】
次に、図１９を参照して、管理端末装置１００の表示画面１０１に表示される設定モード画面の監視用ＩＣタグ変更画面１０１ｂについて説明する。この監視用ＩＣタグ変更画面１０１ｂは、監視用ＩＣタグ現在登録情報画面１０１ａにおいて「変更」ボタンが選択された場合に表示され、監視用ＩＣタグ現在登録情報画面１０１ａで入力されたデータ番号の登録データの変更が行われる。
【０１２０】
図１９に示すように、画面左上には「設定モード画面」と表示されており、その下行にどのパチンコ機１の登録情報が表示されているのかを示す、台番号が「１０４」と表示されている。さらにその下行には、現在の画面が監視用ＩＣタグの変更画面であることを示す文言として「監視用ＩＣタグ：変更画面」と表示されている。その下行には、監視用ＩＣタグ現在登録情報画面１０１ａで入力された登録データの番号が表示されている。図１９に示す例では、「登録データ番号２」である。その下には、入力項目として位置特定符号欄、ＩＤコード欄及び間隔欄が設けられている。ここで、位置特定符号及びＩＤコードは、数字以外にアルファベットも使用することができるので、これらを入力する場合には、アルファベット２６文字を列挙した入力補助画面が表示される。そこで、操作者は入力キー１０７及び矢印キー１０８を操作してアルファベットも入力することができる。また、画面最下部には、「確認」ボタン及び「キャンセル」ボタンが設けられており、「確認」ボタンが選択されると、入力データが管理端末装置１００に読み込まれる。「キャンセル」ボタンを押下すると、監視モード画面へ戻る。
【０１２１】
次に、図２０のフローチャートを参照して、Ｒ／Ｗユニット３０で行われる登録情報送受信処理について説明する。この登録情報送受信処理は、Ｒ／Ｗユニット３０において、図１４に示すメイン処理とは別処理で実行されるが、メイン処理と同様にＲ／Ｗユニット３０に電源が投入され、起動処理が終了した後に開始され、Ｒ／Ｗユニット３０の電源がＯＮである間継続して実施される。
【０１２２】
まず、管理端末装置１００から登録情報の依頼情報を受信したか否かを確認する（Ｓ５１）。依頼情報を受信した場合には（Ｓ５１：ＹＥＳ）、管理端末装置１００へＥＥＰＲＯＭ３２の登録情報記憶エリアに記憶されている登録情報３２１を送信する（Ｓ５２）。そして、Ｓ５１へ戻る。依頼情報を受信しない場合には（Ｓ５１：ＮＯ）、管理端末装置１００から登録情報を受信したか否かを確認する（Ｓ５３）。登録情報を受信した場合には（Ｓ５３：ＹＥＳ）、受信した登録情報をＥＥＰＲＯＭ３２の登録情報記憶エリアの登録情報３２１へ上書き記憶する（Ｓ５４）。そしてＳ５１へ戻る。
【０１２３】
次に、図２１のフローチャートを参照して、管理端末装置１００で行われる監視用ＩＣタグ設定処理について説明する。この監視用ＩＣタグ設定処理は、管理端末装置１００において設定ボタン１０６を押下することにより、「監視用ＩＣタグの設定」を行うか「認証用ＩＣタグの設定」を行うかのＩＣタグ選択画面（図示外）が表示され、「監視用ＩＣタグの設定」が選択された場合に実施される。
【０１２４】
まず、認証用アンテナ１２８から呼出波を送信する（Ｓ６１）。次いで、所定時間内に認証用ＩＣタグ１２６から反射波の返送があるか否かを確認する（Ｓ６２）。ここで、所定時間は例えば１０ミリ秒とする。反射波の返送がない場合には（Ｓ６２：ＮＯ）、認証用ＩＣタグ１２６が埋め込まれた鍵１２１が鍵穴１３０に差し込まれていないということなので、「データ削除には、鍵が必要です。」等のエラーメッセージを表示して（Ｓ９０）、処理を終了する。反射波の返送がある場合には（Ｓ６２：ＹＥＳ）、反射波に含まれているＩＤコードが予め認証用登録情報１１４１に登録されているか否かを確認する（Ｓ６３）。ここでは、反射波に含まれているＩＤコードを、認証用登録情報１１４１に記憶されているＩＤコードと１つずつ比較し、一致しているか確認する。一致するＩＤコードがなければ、そのＩＤコードは予め登録されていないので（Ｓ６３：ＮＯ）、正規の鍵１２１でない鍵１２１が鍵穴１３０に差し込まれているということになるので、「鍵の登録がありません。」等のエラーメッセージを表示して（Ｓ９１）、処理を終了する。
【０１２５】
一致しているＩＤコードがあれば、そのＩＤコードは予め登録されているものであるので（Ｓ６３：ＹＥＳ）、パチンコ機選択画面を表示する（Ｓ６４）。このパチンコ機選択画面では、パチンコ機１の台番号を入力する入力項目が設けられており、管理端末装置１００に接続しているどのパチンコ機１の登録情報３２１を設定するのかを指定することができる。操作者は、設定を行いたいパチンコ機１の台番号を入力し、「確認」ボタンを選択する。「確認」ボタンが選択されると、管理端末装置１００は入力された台番号データを読み込み（Ｓ６５）、入力された台番号のパチンコ機１（指定パチンコ機）へ登録情報の依頼情報を送信する（Ｓ６６）。
【０１２６】
次いで、指定パチンコ機から登録情報が送信され、受信したか否かを確認する（Ｓ６７）。所定時間、例えば例えば１０ミリ秒を経過しても登録情報を受信しない場合には（Ｓ６７：ＮＯ）、管理端末装置１００とＲ／Ｗユニット３０との間に何らかの障害が発生しているので、「登録情報を受信できません。」等のエラーメッセージを表示したエラー画面を表示し（Ｓ９２）、処理を終了する。登録情報を受信した場合には（Ｓ６７：ＹＥＳ）、ＥＥＰＲＯＭ１１４の登録情報記憶エリアの登録情報１１４２へ受信した登録情報を記憶し（Ｓ６８）、登録情報１１４２のデータを反映させて監視用ＩＣタグ現在登録情報画面１０１ａ（図１８参照）を表示画面１０１へ表示する（Ｓ６９）。
【０１２７】
次いで、監視用ＩＣタグ現在登録情報画面１０１ａにおいて「キャンセル」ボタンが選択されたか否かを確認する（Ｓ７０）。「キャンセル」ボタンが選択された場合には（Ｓ７０：ＹＥＳ）、処理を終了する。「キャンセル」ボタンが選択されてない場合には（Ｓ７０：ＮＯ）、「変更」ボタンが選択されたか否かを確認する（Ｓ７１）。「変更」ボタンが選択された場合には（Ｓ７１：ＹＥＳ）、監視用ＩＣタグ変更画面１０１ｂ（図１９参照）を表示する（Ｓ７２）。そして、入力データの読み込みを行い（Ｓ７３）、変更確認画面（図示外）を表示する（Ｓ７４）。変更確認画面には、読み込んだ入力データの内容、「この内容に変更してもよろしいですか？」の確認文言、「ＯＫ」ボタン及び「キャンセル」ボタンが表示されている。次いで、「ＯＫ」ボタンが選択されたか否かを確認する（Ｓ７５）。「ＯＫ」ボタンが選択されていない場合には（Ｓ７５：ＮＯ）、Ｓ６９へ戻り、登録情報１１４２のデータを反映させた監視用ＩＣタグ現在登録情報画面１０１ａを表示する（Ｓ６９）。「ＯＫ」ボタンが選択されている場合には（Ｓ７５：ＹＥＳ）、変更データを登録情報１１４２へ記憶し（Ｓ７６）、登録情報１１４２をＲ／Ｗユニット３０へ送信して（Ｓ７７）、Ｓ６９へ戻り、登録情報１１４２のデータを反映させた監視用ＩＣタグ現在登録情報画面１０１ａを表示する（Ｓ６９）。
【０１２８】
Ｓ７１にて、「変更」ボタンが選択されていない場合には（Ｓ７１：ＮＯ）、「追加」ボタンが選択されたか否かを確認する（Ｓ７８）。「追加」ボタンが選択された場合には（Ｓ７８：ＹＥＳ）、監視用ＩＣタグ追加画面（図示外）を表示する（Ｓ７９）。この監視用ＩＣタグ追加画面では、入力項目として位置特定符号欄、ＩＤコード欄及び間隔欄、「確認」ボタン及び「キャンセル」ボタンが設けられている。「確認」ボタンが選択されたら入力データの読み込みを行い（Ｓ８０）、追加確認画面（図示外）を表示する（Ｓ８１）。追加確認画面には、読み込んだ入力データの内容、「この内容を追加してもよろしいですか？」の確認文言、「ＯＫ」ボタン及び「キャンセル」ボタンが表示されている。次いで、「ＯＫ」ボタンが選択されたか否かを確認する（Ｓ８２）。「ＯＫ」ボタンが選択されていない場合には（Ｓ８２：ＮＯ）、Ｓ６９へ戻り、登録情報１１４２のデータを反映させた監視用ＩＣタグ現在登録情報画面１０１ａを表示する（Ｓ６９）。「ＯＫ」ボタンが選択されている場合には（Ｓ８２：ＹＥＳ）、追加データを登録情報１１４２へ記憶し（Ｓ８３）、登録情報１１４２をＲ／Ｗユニット３０へ送信して（Ｓ８４）、Ｓ６９へ戻り、登録情報１１４２のデータを反映させた監視用ＩＣタグ現在登録情報画面１０１ａを表示する（Ｓ６９）。
【０１２９】
Ｓ７８にて、「追加」ボタンが選択されていない場合には（Ｓ７８：ＮＯ）、「削除」ボタンが選択されているか否かを確認する（Ｓ８５）。「追加」ボタンが選択されている場合には（Ｓ８５：ＹＥＳ）、削除確認画面（図示外）を表示する（Ｓ８６）。削除確認画面には、削除する登録データの内容、「この内容を削除してもよろしいですか？」の確認文言、「ＯＫ」ボタン及び「キャンセル」ボタンが表示されている。次いで、「ＯＫ」ボタンが選択されたか否かを確認する（Ｓ８７）。「ＯＫ」ボタンが選択されている場合には（Ｓ８７：ＹＥＳ）、指定データを登録情報１１４２から削除し（Ｓ８８）、登録情報１１４２をＲ／Ｗユニット３０へ送信して（Ｓ８９）、Ｓ６９へ戻り、登録情報１１４２のデータを反映させた監視用ＩＣタグ現在登録情報画面１０１ａを表示する（Ｓ６９）。Ｓ８５にて「削除」ボタンが選択されていない場合には（Ｓ８５：ＮＯ）、なにもせずに、Ｓ６９へ戻る。
【０１３０】
そして、「キャンセル」ボタンが選択されたら（Ｓ７０：ＹＥＳ）、処理は終了する。
【０１３１】
6.認証用登録情報の変更に関する説明
次に、図２２乃至図２４を参照して、管理端末装置１００での認証用登録情報１１４１の変更処理について説明する。管理端末装置１００では、認証用ＩＣタグ１２６のＩＤコードが登録されている認証用登録情報１１４１の設定を行うことができる。図２２は、管理端末装置１００の表示画面１０１に表示される設定モード画面の認証用ＩＣタグ現在登録情報画面１０１ｃのイメージ図である。図２３は、管理端末装置１００の表示画面１０１に表示される設定モード画面の認証用ＩＣタグ追加画面１０１ｄのイメージ図である。図２４は、管理端末装置１００で行われる認証用ＩＣタグ設定処理のフローチャートである。
【０１３２】
まず、図２２を参照して管理端末装置１００の表示画面１０１に表示される設定モード画面の認証用ＩＣタグ現在登録情報画面１０１ｃについて説明する。この認証用ＩＣタグ現在登録情報画面１０１ｃには、管理端末装置１００のＥＥＰＲＯＭ１１４の認証用登録情報記憶エリアに記憶されている認証用登録情報１１４１の内容が表示されている。図２２に示すように、画面左上には「設定モード画面」と表示されており、その下行に、現在の画面が認証用ＩＣタグの現在の登録情報を表示していることを示す文言として「認証用ＩＣタグ：現在登録情報」と表示されている。その下に、認証用登録情報１１４１の内容を示す表が表示されている。この表には、１〜８までの「データ番号欄」が設けられており、それぞれのデータ番号について１つの「ＩＤコード」欄が設けられている。図２２に示す例では、データ番号欄「１」のＩＤコードは「１６１７４０９８」であり、データ番号欄「２」のＩＤコードは「ＦＴ１７６４９５」であり、データ番号欄「３」のＩＤコードは「０００８３０８２」であり、データ番号欄「４」〜「８」には何も表示されていない。
【０１３３】
さらに、表の右下には入力項目として指定番号欄が設けられており、画面最下部には、「変更」ボタン、「追加」ボタン、「削除」ボタン及び「キャンセル」ボタンが設けられている。管理端末装置１００の操作者は、指定番号欄に変更、追加、又は削除を行うデータ番号を入力キー１０７及び矢印キー１０８を使用して入力する。そして、「変更」ボタンを選択すると変更画面が表示され、指定番号欄に入力したデータ番号の登録データの変更を行うことができる。「追加」ボタンを選択すると追加画面が表示され、指定番号欄に入力したデータ番号に登録データの追加を行うことができる。「削除」ボタンを選択すると削除画面が表示され、指定番号欄に入力したデータ番号の登録データの削除を行うことができる。また、「キャンセル」ボタンを選択すると、監視用ＩＣタグの設定を行うことなく、監視モード画面へ戻る。
【０１３４】
次に、図２３を参照して、管理端末装置１００の表示画面１０１に表示される設定モード画面の認証用ＩＣタグ追加画面１０１ｄについて説明する。この認証用ＩＣタグ追加画面１０１ｄは、認証用ＩＣタグ現在登録情報画面１０１ｃにおいて「追加」ボタンが選択された場合に表示され、認証用ＩＣタグ現在登録情報画面１０１ｃで入力されたデータ番号の認証用登録データの追加が行われる。
【０１３５】
図２３に示すように、画面左上には「設定モード画面」と表示されており、その下行には、現在の画面が認証用ＩＣタグの追加画面であることを示す文言として「認証用ＩＣタグ：追加画面」と表示されている。その下行には、認証用ＩＣタグ現在登録情報画面１０１ｃで入力された認証用登録データの番号が表示されている。図２３に示す例では、「認証用登録データ番号  ４」である。その下には、入力項目として追加ＩＤコード欄が設けられている。ここで、ＩＤコードは、数字以外にアルファベットも使用することができるので、これらを入力する場合には、アルファベット２６文字を列挙した入力補助画面が表示される。そこで、操作者は入力キー１０７及び矢印キー１０８を操作してアルファベットも入力することができる。また、画面最下部には、「確認」ボタン及び「キャンセル」ボタンが設けられており、「確認」ボタンが選択されると、入力データが管理端末装置１００に読み込まれる。「キャンセル」ボタンを押下すると、監視モード画面へ戻る。
【０１３６】
次に、図２４のフローチャートを参照して、管理端末装置１００で行われる認証用ＩＣタグ設定処理について説明する。この認証用ＩＣタグ設定処理は、管理端末装置１００において設定ボタン１０６を押下することにより、「監視用ＩＣタグの設定」を行うか「認証用ＩＣタグの設定」を行うかのＩＣタグ選択画面（図示外）が表示され、「認証用ＩＣタグの設定」が選択された場合に実施される。
【０１３７】
まず、パスワード入力画面（図示外）が表示される（Ｓ１０１）。このパスワード入力画面には、入力項目として氏名欄及びパスワード欄が設けられており、さらに、「確認」ボタン及び「キャンセル」ボタンが設けられている。操作者は、入力キー１０７及び矢印キー１０８を操作して自身の氏名及びパスワードを入力する。ここで、「確認」ボタンが選択されると、入力データが管理端末装置１００に読み込まれる（Ｓ１０２）。尚、「キャンセル」ボタンを押下すると、監視モード画面へ戻る。入力データの読み込みを行ったら、入力された氏名及びパスワードが予め管理端末装置１００のＥＥＰＲＯＭ１１４のパスワード情報記憶エリア（図示外）に登録されているか否かを確認する（Ｓ１０３）。氏名及びパスワードが予め登録されていない場合には、パスワードＯＫとならないので（Ｓ１０３：ＮＯ）、Ｓ１０１へ戻りパスワード入力画面を表示する（Ｓ１０１）。尚、このパスワードの登録については、管理者権限のある者（管理者パスワード入力者：管理者パスワードは管理端末装置１００設置時に設定済み）がパスワード設定処理（設定ボタン１０６及び入力キー１０７の「１」ボタンを同時に３秒間押し続けることにより画面が表示される等の、通常操作では表示されない設定画面を操作する。）により行われる。
【０１３８】
氏名及びパスワードが予め登録されている場合には、パスワードＯＫとなり（Ｓ１０３：ＹＥＳ）、認証用ＩＣタグ現在登録情報画面１０１ｃ（図２２参照）が表示画面１０１に表示される（Ｓ１０４）。次いで、認証用ＩＣタグ現在登録情報画面１０１ｃで入力されたデータの読み込みを行う（Ｓ１０５）。そして、「キャンセル」ボタンが選択されたか否かを確認する（Ｓ１０６）。「キャンセル」ボタンが選択された場合には（Ｓ１０６：ＹＥＳ）、処理を終了する。
【０１３９】
「キャンセル」ボタンが選択されなかった場合には（Ｓ１０６：ＮＯ）、「変更」ボタンが選択されたか否かを確認する（Ｓ１０７）。「変更」ボタンが選択された場合には（Ｓ１０７：ＹＥＳ）、認証用ＩＣタグ変更画面（図示外）が表示される（Ｓ１０８）。この認証用ＩＣタグ変更画面では、入力項目として変更ＩＤコード欄が設けられている。「確認」ボタンが選択されたら入力データの読み込みを行い（Ｓ１０９）、変更確認画面（図示外）を表示する（Ｓ１１０）。変更確認画面には、読み込んだ入力データの内容、「この内容に変更してもよろしいですか？」の確認文言、「ＯＫ」ボタン及び「キャンセル」ボタンが表示されている。次いで、「ＯＫ」ボタンが選択されたか否かを確認する（Ｓ１１１）。「ＯＫ」ボタンが選択されていない場合には（Ｓ１１１：ＮＯ）、Ｓ１０４へ戻り、認証用登録情報１１４１のデータを反映させた認証用ＩＣタグ現在登録情報画面１０１ｃを表示する（Ｓ１０４）。「ＯＫ」ボタンが選択されている場合には（Ｓ１１１：ＹＥＳ）、変更データを認証用登録情報１１４１へ記憶し（Ｓ１１２）、Ｓ１０４へ戻り、認証用登録情報１１４１のデータを反映させた認証用ＩＣタグ現在登録情報画面１０１ｃを表示する（Ｓ１０４）。
【０１４０】
「変更」ボタンが選択されなかった場合には（Ｓ１０７：ＮＯ）、「追加」ボタンが選択されたか否かを確認する（Ｓ１１３）。「追加」ボタンが選択された場合には（Ｓ１１３：ＹＥＳ）、認証用ＩＣタグ追加画面１０１ｄ（図２３参照）が表示される（Ｓ１１４）。「確認」ボタンが選択されたら入力データの読み込みを行い（Ｓ１１５）、追加確認画面（図示外）を表示する（Ｓ１１６）。追加確認画面には、読み込んだ入力データの内容、「この内容に追加してもよろしいですか？」の確認文言、「ＯＫ」ボタン及び「キャンセル」ボタンが表示されている。次いで、「ＯＫ」ボタンが選択されたか否かを確認する（Ｓ１１７）。「ＯＫ」ボタンが選択されていない場合には（Ｓ１１７：ＮＯ）、Ｓ１０４へ戻り、認証用登録情報１１４１のデータを反映させた認証用ＩＣタグ現在登録情報画面１０１ｃを表示する（Ｓ１０４）。「ＯＫ」ボタンが選択されている場合には（Ｓ１１７：ＹＥＳ）、追加データを認証用登録情報１１４１へ記憶し（Ｓ１１８）、Ｓ１０４へ戻り、認証用登録情報１１４１のデータを反映させた認証用ＩＣタグ現在登録情報画面１０１ｃを表示する（Ｓ１０４）。
【０１４１】
「追加」ボタンが選択されていない場合には（Ｓ１１３：ＮＯ）、「削除」ボタンが選択されているか否かを確認する（Ｓ１１９）。「追加」ボタンが選択されている場合には（Ｓ１１９：ＹＥＳ）、削除確認画面（図示外）を表示する（Ｓ１２０）。削除確認画面には、削除する登録データの内容、「この内容を削除してもよろしいですか？」の確認文言、「ＯＫ」ボタン及び「キャンセル」ボタンが表示されている。次いで、「ＯＫ」ボタンが選択されたか否かを確認する（Ｓ１２１）。「ＯＫ」ボタンが選択されていない場合には（Ｓ１２１：ＮＯ）、なにもせずにＳ１０４へ戻り、認証用登録情報１１４１のデータを反映させた認証用ＩＣタグ現在登録情報画面１０１ｃを表示する（Ｓ１０４）。「ＯＫ」ボタンが選択されている場合には（Ｓ１２１：ＹＥＳ）、削除データを認証用登録情報１１４１から削除し（Ｓ１２２）、Ｓ１０４へ戻り、認証用登録情報１１４１のデータを反映させた認証用ＩＣタグ現在登録情報画面１０１ｃを表示する（Ｓ１０４）。また、Ｓ１１９において、「削除」ボタンが選択されていない場合には（Ｓ１１９：ＮＯ）、なにもせずにＳ１０４へ戻り、認証用登録情報１１４１のデータを反映させた認証用ＩＣタグ現在登録情報画面１０１ｃを表示する（Ｓ１０４）。
【０１４２】
そして、「キャンセル」ボタンが選択されたら（Ｓ１０６：ＹＥＳ）、処理は終了する。
【０１４３】
7.実施の形態と請求項との対比
尚、図６に示す監視用ＩＣタグ８６のＥＥＰＲＯＭ８６ｃや監視用ＩＣタグ１８６のＥＥＰＲＯＭが監視用ＩＣタグの「識別情報記憶手段」に相当する。また、図２０に示す登録情報送受信処理のフローチャートのＳ５３の処理を実行するＣＰＵ３１がＩＣタグ監視装置の「第１登録情報受信手段」として機能し、Ｓ５２の処理を実行するＣＰＵ３１がＩＣタグ監視装置の「第２登録情報送信手段」として機能し、図１２に示す登録情報３２１が記憶されているＥＥＰＲＯＭ３２の登録情報記憶エリアがＩＣタグ監視装置の「第２登録情報記憶手段」に相当する。
【０１４４】
さらに、図１７に示す登録情報１１４２が記憶されているＥＥＰＲＯＭ１１４（図１０参照）の登録情報記憶エリアが管理端末装置の「第１登録情報記憶手段」に相当し、図１６に示す認証用登録情報１１４１が記憶されているＥＥＰＲＯＭ１１４（図１０参照）の認証用登録情報記憶エリアが管理端末装置の「認証用登録情報記憶手段」に相当し、図１０に示す管理端末装置１００の電気的構成を示すブロック図のＲＦ回路１１５及び認証用アンテナ１２８が管理端末装置の「呼出波送信手段」及び「反射波受信手段」に相当する。また、図２１に示す監視用ＩＣタグ設定処理のフローチャートのＳ６８〜８９の処理を実行するＣＰＵ９８が管理端末装置の「登録情報設定手段」として機能し、Ｓ７７、Ｓ８４及びＳ８９の処理を実行するＣＰＵ９８が管理端末装置の「第１登録情報送信手段」として機能し、Ｓ６６の処理を実行するＣＰＵ９８が管理端末装置の「依頼情報送信手段」として機能し、Ｓ６７の処理を実行するＣＰＵ９８が管理端末装置の「第２登録情報受信手段」として機能し、Ｓ６２、６３の処理を実行するＣＰＵ９８が管理端末装置の「認証判定手段」として機能し、Ｓ６１〜８９の処理を実行するＣＰＵ９８が管理端末装置の「登録情報設定制御手段」として機能する。
【０１４５】
また、氏名及びパスワードが「特定情報」に相当し、また、図２４に示す認証用ＩＣタグ設定処理のフローチャートのＳ１０４〜Ｓ１２２の処理を実行するＣＰＵ９８が管理端末装置の「認証用登録情報設定手段」として機能し、Ｓ１０１及び１０２の処理を実行するＣＰＵ９８が管理端末装置の「特定情報入力手段」として機能し、Ｓ１０３の処理を実行するＣＰＵ９８が管理端末装置の「特定情報判定手段」として機能し、Ｓ１０１〜１２２の処理を実行するＣＰＵ９８が管理端末装置の「認証用登録情報設定制御手段」として機能し、氏名及びパスワードを記憶しているＥＥＰＲＯＭ１１４が管理端末装置の「特定情報記憶手段」に相当する。
【０１４６】
8.実施の形態の効果
以上説明したように、上記の実施の形態の監視システムでは、監視用ＩＣタグ８６，監視用ＩＣタグ１８６により基板ボックス８０及び大入賞口１６の開放を監視し、その監視情報をＲ／Ｗユニット３０に記憶することができる。また、Ｒ／Ｗユニット３０に記憶された監視情報は、遊技場内に設置された管理端末装置１００にも送信され、記憶される。また、管理端末装置１００からはホールコンピュータ３００へ監視情報が送られて、ホールコンピュータ３００で遊技場内の全てのパチンコ機１の監視情報を管理できるようになっている。
【０１４７】
また、鍵１２１に認証用ＩＣタグ１２６が埋め込まれており、管理端末装置１００の鍵穴１３０に正規の鍵１２１を差し込むことにより、管理端末装置１００が認証状態となる。そして、管理端末装置１００が認証状態であれば、設定モード画面において各Ｒ／Ｗユニット３０の登録情報３２１の設定を行うことができる。さらに、予め登録されたパスワードを入力することにより、認証用登録情報１１４１の設定も行うことができる。
【０１４８】
9.変形例の説明
尚、本発明は、以上詳述した実施の形態に限定されるものではなく、種々の変更が可能である。以下に、本発明を適用する実施の形態の変形例について説明する。まず、本実施形態では監視用ＩＣタグを備えた装置として、遊技機の一種であるパチンコ機を例に挙げているが、装置は遊技機であるパチンコ機に限られず、パチコン機、パチスロ台等の各種の遊技機に適用可能である。さらに、遊技機に限らず、所定の動作を行って製品を製造する工作機械、所定の動作を行って商品を販売する自動販売機、所定の動作を行ってサービスを提供するサービス提供装置等にも適用可能である。
【０１４９】
また、上記実施の形態では、移動を監視される被監視部材としてパチンコ機１の基板ボックス８０及び大入賞口１６を扱い、夫々一箇所に監視用ＩＣタグを設置したが、移動を監視される部材はこれに限らず、他の入賞口や普通図柄始動ゲート、センターカバー９０や各種基板に設置して、その開閉状態を監視してもよい。また、本体枠１１０、前面枠１１１又は機枠１１２に監視用ＩＣタグを備え、前面枠１１１と本体枠１１０、本体枠１１０と機枠１１２の開閉を監視してもよい。また、監視用ＩＣタグを設置する場所は各部材に一箇所である必要はなく、複数の位置に設置してもよい。さらに、装置がパチンコ機１でない場合にはもちろん、移動を監視される部材は上記実施の形態の部材に限らず、装置に備えられ、開閉が行われる開閉部材や装置を構成する構成部材であればよく、開閉部材の開閉や構成部材の所在を監視するために、１つ又は複数の監視用ＩＣタグを開閉部材や構成部材に設置して、その部材の移動を監視してもよい。
【０１５０】
また、上記実施の形態では、管理端末装置１００を夜間にも稼働させ、常時Ｒ／Ｗユニット３０から監視情報の送信を受けているが、管理端末装置１００の稼働形態はこれに限らず、夜間（営業時間外）は管理端末装置１００の電源を切り、Ｒ／Ｗユニット３０に管理端末装置１００が稼働していない間の監視情報を記憶させ、管理端末装置１００起動後に送信させるようにしてもよい。
【０１５１】
また、上記実施の形態では認証用登録情報１１４１に記憶できる認証用ＩＣタグ１２６のＩＤコードを８個として扱ったが、これは８個に限らずそれ以上であっても、以下であってもよく、１つであってもよい。また、上記実施の形態では、認証用ＩＣタグ１２６を鍵１２１に埋め込ませたが、認証用ＩＣタグ１２６を備えた認証部材は必ずしも鍵１２１に埋め込まれている必要はなく、操作担当者の名札や身分証、制服、筆記用具等に埋め込まれていてもよく、また、認証部材として単独で存在していてもよく、形状もカード型のプラスチック板、指輪型、スティック型、布地への埋め込みなどでもよい。
【０１５２】
また、上記実施の形態では、認証用登録情報１１４１の設定を行う際の特定情報として氏名及びパスワードを使用し、その一致を確認したが、これは氏名及びパスワードの確認に限らず、パスワードのみであったり、社員コードとパスワードであったり、社員コードのみであったりしてもよい。
【０１５３】
【発明の効果】
以上、説明したように、請求項１に係る発明の監視システムでは、監視用ＩＣタグの識別情報記憶手段は、他のＩＣタグと区別するための識別情報を記憶することができる。また、管理端末装置の第１登録情報記憶手段は、登録情報を記憶し、登録情報設定手段は、登録情報を設定し、第１登録情報記憶手段に記憶し、第１登録情報送信手段は、第１登録情報記憶手段に記憶された登録情報をＩＣタグ監視装置へ送信することができる。また、装置のＩＣタグ監視装置は、監視用ＩＣタグと通信を行うことができる。また、ＩＣタグ監視装置の第１登録情報受信手段は、管理端末装置から送信された登録情報を受信し、第２登録情報記憶手段は、第１登録情報受信手段が受信した登録情報を記憶することができる。したがって、装置に備えられた監視用ＩＣタグを監視するための登録情報を管理端末装置において設定し、設定した登録情報を管理端末装置からＩＣタグ監視装置へ送信し、ＩＣタグ監視装置はその登録情報を記憶することができる。
【０１５４】
また、請求項２に係る発明の監視システムでは、請求項１に記載の発明の効果に加えて、管理端末装置の依頼情報送信手段は、ＩＣタグ監視装置に登録情報の送信を依頼する依頼情報を送信し、第２登録情報受信手段は、ＩＣタグ監視装置から送信された登録情報を受信することができる。また、ＩＣタグ監視装置の第２登録情報送信手段は、依頼情報送信手段から依頼情報を受信した場合に、第２登録情報記憶手段に記憶された登録情報を第２登録情報受信手段に送信することができる。したがって、管理端末装置は、ＩＣタグ監視装置に記憶されている登録情報を取得することができる。
【０１５５】
また、請求項３に係る発明の監視システムでは、請求項１又は２に記載の発明の効果に加えて、監視システムの認証部材が備えた認証用ＩＣタグは、他のＩＣタグと区別するための識別情報を記憶することができる。また、管理端末装置の認証用登録情報記憶手段は、認証用ＩＣタグを認証するための情報である認証用登録情報を記憶し、呼出波送信手段は、認証用ＩＣタグを呼び出す呼出波を送信し、反射波受信手段は、認証用ＩＣタグから返送される反射波を受信し、認証判定手段は、反射波受信手段が、認証用登録情報記憶手段に記憶されている認証用登録情報の中の識別情報と同一の識別情報を含む反射波を受信した場合に、管理端末装置を認証状態に移行させ、登録情報設定制御手段は、認証判定手段により認証状態に移行された場合に、登録情報設定手段において登録情報の設定を行うことができる。したがって、管理端末装置が認証状態である場合にのみ登録情報の設定を行うことができるので、正規の認証部材を持たない者が勝手に登録情報を設定することはできない。
【０１５６】
また、請求項４に係る発明の監視システムでは、請求項１乃至３のいずれかに記載の発明の効果に加えて、登録情報は、監視用ＩＣタグが備えられている位置を特定する位置特定符号に対応されて記憶されており、ＩＣタグ監視装置が監視用ＩＣタグを監視する監視タイミング、及び、監視用ＩＣタグに記憶されている識別情報の少なくとも１つを含むことができる。
【０１５７】
また、請求項５に係る発明の監視システムでは、請求項３に記載の発明の効果に加えて、認証用登録情報は、呼出波送信手段の認証用ＩＣタグへの呼出波の送信タイミング及び、認証用ＩＣタグに記憶されている識別情報のうちの少なくとも１つを含むことができる。
【０１５８】
また、請求項６に係る発明の監視システムでは、請求項３乃至５のいずれかに記載の発明の効果に加えて、管理端末装置の認証用登録情報設定手段は、認証用登録情報を設定し、認証用登録情報記憶手段に記憶させることができる。したがって、管理端末装置では、自身を認証状態にする認証部材に備えられた認証用ＩＣタグを監視するための認証用登録情報の設定をすることができる。
【０１５９】
また、請求項７に係る発明の監視システムでは、請求項６に記載の発明の効果に加えて、管理端末装置の特定情報記憶手段は、操作者を特定する特定情報を記憶し、特定情報入力手段は、特定情報を入力し、特定情報判定手段は、特定情報入力手段により入力された特定情報が特定情報記憶手段に記憶されている特定情報と一致するか否かの判定を行い、認証用登録情報設定制御手段は、特定情報判定手段により一致していると判定された場合にのみ、認証用登録情報設定手段において認証用登録情報の設定を行うことができる。したがって、認証用登録情報を設定するためには、パスワードやＩＤコード、氏名、係員識別番号等の特定情報の入力が必要となるため、予め管理端末装置に登録された特定情報を知らない者が勝手に認証用登録情報の設定をすることはできない。
【０１６０】
また、請求項８に係る発明の監視システムでは、請求項１乃至７のいずれかに記載の発明の効果に加えて、装置は遊技機を用いることができる。したがって、遊技機の監視に関する登録情報の設定を管理端末装置で行うことができる。
【０１６１】
また、請求項９に係る発明の監視システムでは、請求項８に記載の発明の効果に加えて、遊技機の機枠は、遊技機を設置する遊技機設置台に遊技機を固定し、本体枠は、遊技機の本体を機枠に設置し、前面枠は、遊技球が流下する遊技領域を保護することができる。また、鍵と錠とで構成された施錠装置は、機枠と本体枠、及び本体枠と前面枠とを施錠し、鍵は認証部材を備えることができる。したがって、装置が遊技機である場合には、管理端末装置を認証常態とする認証部材と遊技機の機枠と本体枠、及び、本体枠と前面枠とを施錠する鍵を共用することができるので、遊技場係員は多数の鍵を所有、管理する必要がない。
【０１６２】
また、請求項１０に係る発明の監視システムでは、請求項１乃至９のいずれかに記載の発明の効果に加えて、管理端末装置の扉は管理端末装置の内部を開放し、鍵と錠とで構成された施錠装置は扉を施錠することができる。したがって、管理端末装置を認証状態とする認証部材を、管理端末装置を施錠する鍵を共用することができる。
【０１６３】
また、請求項１１に係る発明の装置では、監視用ＩＣタグの識別情報記憶手段は、他のＩＣタグと区別するための識別情報を記憶することができる。また、装置のＩＣタグ監視装置は、監視用ＩＣタグと通信を行うことができる。また、ＩＣタグ監視装置の第１登録情報受信手段は、管理端末装置から送信された登録情報を受信し、第２登録情報記憶手段は、第１登録情報受信手段が受信した登録情報を記憶することができる。
【０１６４】
また、請求項１２に係る発明の装置では、請求項１１に記載の発明の効果に加えて、ＩＣタグ監視装置の依頼情報受信手段は、管理端末装置から送信された、登録情報の送信を依頼する依頼情報を受信し、第２登録情報送信手段は、依頼情報受信手段が依頼情報を受信した場合に、第２登録情報記憶手段に記憶された登録情報を管理端末装置に送信することができる。
【０１６５】
また、請求項１３に係る発明の装置では、請求項１１又は１２に記載の発明の効果に加えて、登録情報は、監視用ＩＣタグが備えられている位置を特定する位置特定符号に対応されて記憶されており、ＩＣタグ監視装置が監視用ＩＣタグを監視する監視タイミング、及び、識別情報記憶手段に記憶されている識別情報の少なくとも１つを含むことができる。
【０１６６】
また、請求項１４に係る発明の装置では、請求項１１乃至１３のいずれかに記載の発明の効果に加えて、装置は遊技機を用いることができる。
【０１６７】
また、請求項１５に係る発明の装置では、請求項１４に記載の発明の効果に加えて、遊技機の機枠は、遊技機を設置する遊技機設置台に遊技機を固定し、本体枠は、遊技機の本体を機枠に設置し、前面枠は、遊技球が流下する遊技領域を保護することができる。また、鍵と錠とで構成された施錠装置は、機枠と本体枠、及び本体枠と前面枠とを施錠し、鍵は認証部材を備えることができる。
【０１６８】
また、請求項１６に係る発明の管理端末装置では、管理端末装置の第１登録情報記憶手段は、登録情報を記憶し、登録情報設定手段は、登録情報を設定し、第１登録情報記憶手段に記憶し、第１登録情報送信手段は、装置に備えられ、監視用ＩＣタグを監視するＩＣタグ監視装置へ第１登録情報記憶手段に記憶された登録情報を送信することができる。
【０１６９】
また、請求項１７に係る発明の管理端末装置では、請求項１６に記載の発明の効果に加えて、管理端末装置の依頼情報送信手段は、ＩＣタグ監視装置に登録情報の送信を依頼する依頼情報を送信し、第２登録情報受信手段は、ＩＣタグ監視装置から送信された登録情報を受信することができる。
【０１７０】
また、請求項１８に係る発明の管理端末装置では、請求項１６又は１７に記載の発明の効果に加えて、管理端末装置の認証用登録情報記憶手段は、認証用ＩＣタグを認証するための情報である認証用登録情報を記憶し、呼出波送信手段は、認証用ＩＣタグを呼び出す呼出波を送信し、反射波受信手段は、認証用ＩＣタグから返送される反射波を受信し、認証判定手段は、反射波受信手段が、認証用登録情報記憶手段に記憶されている認証用登録情報の中の識別情報と同一の識別情報を含む反射波を受信した場合に、管理端末装置を認証状態に移行させ、登録情報設定制御手段は、認証判定手段により認証状態に移行された場合に、登録情報設定手段において登録情報の設定を行うことができる。
【０１７１】
また、請求項１９に係る発明の管理端末装置では、請求項１６乃至１８のいずれかに記載の発明の効果に加えて、登録情報は、監視用ＩＣタグが備えられている位置を特定する位置特定符号に対応されて記憶されており、ＩＣタグ監視装置が監視用ＩＣタグを監視する監視タイミング、及び、監視用ＩＣタグに記憶されている識別情報の少なくとも１つを含むことができる。
【０１７２】
また、請求項２０に係る発明の管理端末装置では、請求項１８に記載の発明の効果に加えて、認証用登録情報は、呼出波送信手段の認証用ＩＣタグへの呼出波の送信タイミング及び、認証用ＩＣタグに記憶されている識別情報のうちの少なくとも１つを含むことができる。
【０１７３】
また、請求項２１に係る発明の管理端末装置では、請求項１６乃至２０のいずれかに記載の発明の効果に加えて、管理端末装置の認証用登録情報設定手段は、認証用登録情報の設定を行い、認証用登録情報を認証用登録情報記憶手段に記憶させることができる。
【０１７４】
また、請求項２２に係る発明の管理端末装置では、請求項２１に記載の発明の効果に加えて、管理端末装置の特定情報記憶手段は、操作者を特定する特定情報を記憶し、特定情報入力手段は、特定情報を入力し、特定情報判定手段は、特定情報入力手段により入力された特定情報が特定情報記憶手段に記憶されている特定情報と一致するか否かの判定を行い、認証用登録情報設定制御手段は、特定情報判定手段により一致していると判定された場合にのみ、認証用登録情報設定手段において認証用登録情報の設定を行うことができる。
【０１７５】
また、請求項２３に係る発明の管理端末装置では、請求項１６乃至２２のいずれかに記載の発明の効果に加えて、装置は遊技機を用いることができる。
【０１７６】
また、請求項２４に係る発明の管理端末装置では、請求項２３に記載の発明の効果に加えて、遊技機の機枠は、遊技機を設置する遊技機設置台に遊技機を固定し、本体枠は、遊技機の本体を機枠に設置し、前面枠は、遊技球が流下する遊技領域を保護することができる。また、鍵と錠とで構成された施錠装置は、機枠と本体枠、及び本体枠と前面枠とを施錠し、鍵は認証部材を備えることができる。
【０１７７】
また、請求項２５に係る発明の管理端末装置では、請求項１６乃至２４のいずれかに記載の発明の効果に加えて、管理端末装置の扉は管理端末装置の内部を開放し、鍵と錠とで構成された施錠装置は扉を施錠することができる。
【図面の簡単な説明】
【図１】図１は、本実施の形態の監視システムの構成図である。
【図２】図２は、パチンコ機１の前面枠１１１及び本体枠１１０を開いた状態をパチンコ機１の前面から見た斜視図である。
【図３】図３はパチンコ機１の背面図である。
【図４】図４は、パチンコ機１及びパチンコ機１に付属したＲ／Ｗユニット３０の電気的構成を示すブロック図である。
【図５】図５は、監視用ＩＣタグ８６の平面図である。
【図６】図６は、監視用ＩＣタグ８６の電気的回路構成を示すブロック図である。
【図７】図７は基板ボックス８０の斜視図である。
【図８】図８は、開閉扉１６ａが開放されている状態のアタッカ部材１６０の斜視図である。
【図９】図９は、管理端末装置１００の操作扉１１８を開いた状態の管理端末装置１００の前面から見た斜視図である。
【図１０】図１０は管理端末装置１００の電気的構成を示すブロック図である。
【図１１】図１１は、鍵１２１の平面図である。
【図１２】図１２は、Ｒ／Ｗユニット３０のＥＥＰＲＯＭ３２の登録情報記憶エリアに記憶されている登録情報３２１の模式図である。
【図１３】図１３は、Ｒ／Ｗユニット３０のＲＡＭ３３の監視処理使用データ記憶エリアに記憶されている監視処理使用データ３３１の模式図である。
【図１４】図１４は、Ｒ／Ｗユニット３０で行われるメイン処理のフローチャートである。
【図１５】図１５は、Ｒ／Ｗユニット３０で行われるメイン処理の中で行われる監視処理のフローチャートである。
【図１６】図１６は、管理端末装置１００のＥＥＰＲＯＭ１１４の認証用登録情報記憶エリアに記憶されている認証用登録情報１１４１の模式図である。
【図１７】図１７は、管理端末装置１００のＥＥＰＲＯＭ１１４の登録情報記憶エリアに記憶されている登録情報１１４２の模式図である。
【図１８】図１８は、管理端末装置１００の表示画面１０１に表示される設定モード画面の監視用ＩＣタグ現在登録情報画面１０１ａのイメージ図である。
【図１９】図１９は、管理端末装置１００の表示画面１０１に表示される設定モード画面の監視用ＩＣタグ変更画面１０１ｂのイメージ図である。
【図２０】図２０は、Ｒ／Ｗユニット３０で行われる登録情報送受信処理のフローチャートである。
【図２１】図２１は、管理端末装置１００で行われる監視用ＩＣタグ設定処理のフローチャートである。
【図２２】図２２は、管理端末装置１００の表示画面１０１に表示される設定モード画面の認証用ＩＣタグ現在登録情報画面１０１ｃのイメージ図である。
【図２３】図２３は、管理端末装置１００の表示画面１０１に表示される設定モード画面の認証用ＩＣタグ追加画面１０１ｄのイメージ図である。
【図２４】図２４は、管理端末装置１００で行われる認証用ＩＣタグ設定処理のフローチャートである。
【符号の説明】
１ パチンコ機
１６ 大入賞口
１６ａ 開閉扉
３０ Ｒ／Ｗユニット
３１ ＣＰＵ
３２ ＥＥＰＲＯＭ
８０ 基板ボックス
８０ａ 上蓋部
８６ 監視用ＩＣタグ
８６ｃ ＥＥＰＲＯＭ
９８ ＣＰＵ
１００ 管理端末装置
１１０ 本体枠
１１１ 前面枠
１１１ａ ガラス板
１１２ 機枠
１１３ 本体
１１４ ＥＥＰＲＯＭ
１１４１ 認証用登録情報
１１４２ 登録情報
１１８ 操作扉
１２０ 鍵穴
１２１ 鍵
１２６ 認証用ＩＣタグ
１２６ｃ ＥＥＰＲＯＭ
１３０ 鍵穴
１２８ 認証用アンテナ
１８６ 監視用ＩＣタグ
３２１ 登録情報
【図１】
2004185596.tif 000003
【図２】
2004185596.tif 000004
【図３】
2004185596.tif 000005
【図４】
2004185596.tif 000006
【図５】
2004185596.tif 000007
【図６】
2004185596.tif 000008
【図７】
2004185596.tif 000009
【図８】
2004185596.tif 000010
【図９】
2004185596.tif 000011
【図１０】
2004185596.tif 000012
【図１１】
2004185596.tif 000013
【図１２】
2004185596.tif 000014
【図１３】
2004185596.tif 000015
【図１４】
2004185596.tif 000016
【図１５】
2004185596.tif 000017
【図１６】
2004185596.tif 000018
【図１７】
2004185596.tif 000019
【図１８】
2004185596.tif 000020
【図１９】
2004185596.tif 000021
【図２０】
2004185596.tif 000022
【図２１】
2004185596.tif 000023
【図２２】
2004185596.tif 000024
【図２３】
2004185596.tif 000025
【図２４】
2004185596.tif 000026